(57)【要約】【課題】情報家電でコンテンツを利用するのに際して、利便性の高い利用者認証を行うことを課題とする。【解決手段】この通信システムは、宅内ネットワークと、認証サーバ装置と、コンテンツサーバ装置とがインターネットを介して相互に通信可能に接続されて構成される。宅内ネットワークは、コンテンツ提供装置と、コンテンツ視聴装置（例えば、ネットワーク対応ＴＶなど）と、ＰＣと、ＨＤＤとがＤＬＮＡを用いて相互に通信可能に接続されて構成される。そして、コンテンツ視聴装置からコンテンツ要求を受信したコンテンツ提供装置は、セッション情報要求を認証サーバ装置に送信し、認証サーバ装置は、利用者装置からセッション情報と利用者認証情報を受信して、利用者認証を行う。続いて、正当な利用者であると認証されると、コンテンツ提供装置は、コンテンツサーバ装置からコンテンツを受信して、受信したコンテンツをコンテンツ視聴装置に送信する。【選択図】        図１
2008124579.tif 000002
【特許請求の範囲】
【請求項１】
コンテンツを視聴可能に出力するコンテンツ視聴装置がコンテンツ提供装置を介して他の装置と接続されるように構成された宅内ネットワークと、前記宅内ネットワークの利用者が正当な利用者であるか否かを認証する認証サーバ装置と、前記利用者が正当な利用者として認証されることを条件に前記コンテンツ提供装置を介して前記コンテンツ視聴装置に前記コンテンツを提供するコンテンツサーバ装置とを、ネットワークを介して相互に通信可能に接続して構成される通信システムであって、
前記コンテンツ提供装置または前記コンテンツサーバ装置は、
前記コンテンツ視聴装置からコンテンツの視聴を要求するコンテンツ要求を受信した場合に、当該コンテンツの視聴に伴う利用者認証に用いられるセッション情報を要求するセッション情報要求を、前記認証サーバ装置に送信するセッション情報要求送信手段と、
前記認証サーバ装置で発行されたセッション情報を受信した場合に、当該セッション情報を前記コンテンツ視聴装置で視聴可能なコンテンツとして形成される認証用コンテンツを生成し、前記コンテンツ視聴装置に送信する認証用コンテンツ生成手段と、
前記認証用コンテンツ生成手段により認証用コンテンツが前記コンテンツ視聴装置に送信された後に、前記利用者が正当な利用者であるか否かを示す認証結果を問い合わせる認証結果問い合わせ要求とともに、前記セッション情報を前記認証サーバ装置に送信する認証結果問い合わせ手段と、
前記認証サーバ装置は、
前記利用者を一意に識別する利用者認証情報に対応付けて、当該宅内ネットワークの利用者が所有する利用者端末に記憶され、当該利用者の認証に用いられる利用者認証情報を記憶する利用者認証情報記憶手段と、
前記コンテンツ提供装置もしくは前記コンテンツサーバ装置からセッション情報要求を受信した場合に、前記セッション情報を発行して前記コンテンツ提供装置もしくは前記コンテンツサーバ装置に送信するとともに、所定のセッション情報記憶手段に格納するセッション情報一時発行手段と、
前記利用者端末から前記セッション情報を含んだ認証要求を前記利用者認証情報とともに受信した場合に、前記セッション情報が前記セッション情報記憶手段に記憶され、かつ、前記利用者認証情報が前記利用者認証情報記憶手段に記憶されているときに限り、前記利用者認証情報を前記利用者認証情報記憶手段から取得して、前記セッション情報に対応付けて前記セッション情報記憶手段に格納するセッション情報正規発行手段と、
前記コンテンツ提供装置もしくは前記コンテンツサーバ装置から、前記認証結果問い合わせ要求とともに前記セッション情報を受信した場合に、当該セッション情報と利用者認証情報とが対応付けられて前記セッション情報記憶手段に記憶されているか否かを判定し、前記利用者が正当な利用者であるか否かを認証する利用者認証手段と、
を備えたことを特徴とする通信システム。
【請求項２】
前記コンテンツサーバ装置は、暗号化されたコンテンツを前記コンテンツ提供装置に送信するものであって、
前記利用者認証手段は、前記利用者が正当な利用者であると認証された場合に、前記コンテンツを復号する復号鍵を前記コンテンツ提供装置に送信することを特徴とする請求項１に記載の通信システム。
【請求項３】
前記コンテンツ視聴装置は、前記コンテンツ要求とともに、前記宅内ネットワークに接続される宅内端末装置に一意に割り当てられた識別番号を送信し、
前記セッション情報要求送信手段は、前記コンテンツ視聴装置から前記コンテンツ要求と前記識別番号とを受信した場合に、前記セッション情報要求と前記識別番号とを前記認証サーバ装置に送信し、
前記セッション情報記憶手段は、前記セッション情報と前記利用者認証情報と前記識別番号とを記憶するものであって、
前記セッション情報一時発行手段は、前記コンテンツ提供装置もしくは前記コンテンツサーバ装置から前記セッション情報要求と前記識別番号を受信した場合に、前記識別番号に対応付けられたセッション情報が前記セッション情報記憶手段に記憶されているときは、認証許可を示す認証結果を前記コンテンツサーバ装置もしくは前記コンテンツ提供装置に送信し、前記識別番号に対応付けられたセッション情報が前記セッション情報記憶手段に記憶されていないときは、セッション情報を発行して前記コンテンツ提供装置もしくは前記コンテンツサーバ装置に送信するとともに、前記セッション情報と前記識別番号とを対応付けて前記セッション情報記憶手段に格納し、
前記セッション情報正規発行手段は、利用者端末から前記セッション情報を含んだ認証要求を前記利用者認証情報と前記識別番号とともに受信した場合に、前記セッション情報と前記識別番号とが前記セッション情報記憶手段に記憶され、かつ、前記利用者認証情報が前記利用者認証情報記憶手段に記憶されているときに限り、前記利用者認証情報を前記利用者認証情報記憶手段から取得して、前記セッション情報に対応付けて前記セッション情報記憶手段に格納し、
前記利用者認証手段は、前記コンテンツ提供装置もしくは前記コンテンツサーバ装置から、前記認証結果問い合わせ要求とともに前記セッション情報を受信した場合に、当該セッション情報と利用者認証情報と識別番号が対応付けられて前記セッション情報記憶手段に記憶されているか否かを判定し、前記利用者が正当な利用者であるか否かを認証することを特徴とする請求項１または２に記載の通信システム。
【請求項４】
前記コンテンツ視聴装置は、前記コンテンツ要求とともに、前記宅内ネットワークに接続される宅内端末装置に一意に割り当てられた識別番号を送信するものであって、
前記コンテンツ提供装置は、
前記コンテンツ要求を送信した宅内端末装置に一意に割り当てられた識別番号と、前記コンテンツ要求を送信した前記宅内端末装置に対して発行された前記セッション情報とを対応付けて記憶する識別番号記憶手段と、
前記コンテンツサーバ装置から当該セッション情報と対応付けられたコンテンツが送信された場合に、当該セッション情報に対応付けられて記憶される前記識別番号を前記識別番号記憶手段から取得し、前記識別番号が割り振られた宅内端末装置にのみ、当該コンテンツを送信するコンテンツ送信制御手段とをさらに備えたことを特徴とする請求項１または２に記載の通信システム。
【請求項５】
前記コンテンツサーバ装置のセッション情報要求送信手段は、前記コンテンツ提供装置から前記セッション情報要求を受信した場合に、前記コンテンツ視聴装置が視聴を希望するコンテンツに関するコンテンツ情報と前記セッション情報要求とを前記認証サーバ装置に送信し、
前記セッション情報一時発行手段は、前記コンテンツサーバ装置から前記セッション情報要求と前記コンテンツ情報を受信した場合に、前記セッション情報を発行して前記コンテンツ視聴装置もしくは前記コンテンツサーバ装置に送信するとともに、前記セッション情報と前記コンテンツ情報とを対応付けて前記セッション情報記憶手段に格納し、
前記セッション情報正規発行手段は、前記利用者端末から前記セッション情報を含んだ認証要求を前記利用者認証情報とともに受信した場合に、前記セッション情報と前記コンテンツ情報とが前記セッション情報記憶手段に記憶され、かつ、前記利用者認証情報が前記利用者認証情報記憶手段に記憶されているときに限り、前記利用者認証情報を前記利用者認証情報記憶手段から取得して、前記セッション情報と前記コンテンツ情報とに対応付けて前記セッション情報記憶手段に格納し、
前記利用者認証手段は、前記コンテンツサーバ装置から、前記認証結果問い合わせ要求とともに前記セッション情報を受信した場合に、当該セッション情報と利用者認証情報とが対応付けられて前記セッション情報記憶手段に記憶され、かつ、前記利用者認証情報記憶手段に記憶される利用者認証情報が前記コンテンツ情報の所定の条件を満たすか否かを判定し、前記利用者が正当な利用者であるか否かを認証することを特徴とする請求項１または２に記載の通信システム。
【請求項６】
前記認証用コンテンツ生成手段は、前記認証サーバ装置で発行されたセッション情報を受信した場合に、前記コンテンツ視聴装置が動画像コンテンツを視聴可能に出力するものであるときは、当該セッション情報を動画像コンテンツとして形成される認証用動画像コンテンツを生成して前記コンテンツ視聴装置に送信し、前記コンテンツ視聴装置が音声コンテンツを視聴可能に出力するものであるときは、当該セッション情報を音声コンテンツとして形成される認証用音声コンテンツを生成して前記コンテンツ視聴装置に送信し、前記コンテンツ視聴装置が静止画コンテンツを視聴可能に出力するものであるときは、当該セッション情報を静止画コンテンツとして形成される認証用静止画コンテンツを生成して前記コンテンツ視聴装置に送信することを特徴とする請求項１〜５のいずれか一つに記載の通信システム。
【請求項７】
コンテンツを視聴可能に出力するコンテンツ視聴装置がコンテンツ提供装置を介して他の装置と接続されるように構成された宅内ネットワークと、前記宅内ネットワークの利用者が正当な利用者であるか否かを認証する認証サーバ装置と、前記利用者が正当な利用者として認証されることを条件に前記コンテンツ提供装置を介して前記コンテンツ視聴装置に前記コンテンツを提供するコンテンツサーバ装置とを、ネットワークを介して相互に通信可能に接続して構成することに適した通信方法であって、
前記コンテンツ提供装置または前記コンテンツサーバ装置は、
前記コンテンツ視聴装置からコンテンツの視聴を要求するコンテンツ要求を受信した場合に、当該コンテンツの視聴に伴う利用者認証に用いられるセッション情報を要求するセッション情報要求を、前記認証サーバ装置に送信するセッション情報要求送信工程と、
前記認証サーバ装置で発行されたセッション情報を受信した場合に、当該セッション情報を前記コンテンツ視聴装置で視聴可能なコンテンツとして形成される認証用コンテンツを生成し、前記コンテンツ視聴装置に送信する認証用コンテンツ生成工程と、
前記認証用コンテンツ生成工程により認証用コンテンツが前記コンテンツ視聴装置に送信された後に、前記利用者が正当な利用者であるか否かを示す認証結果を問い合わせる認証結果問い合わせ要求とともに、前記セッション情報を前記認証サーバ装置に送信する認証結果問い合わせ工程と、
前記認証サーバ装置は、
前記利用者を一意に識別する利用者認証情報に対応付けて、当該宅内ネットワークの利用者が所有する利用者端末に記憶され、当該利用者の認証に用いられる利用者認証情報を記憶する利用者認証情報記憶手段と、
前記コンテンツ提供装置もしくは前記コンテンツサーバ装置からセッション情報要求を受信した場合に、前記セッション情報を発行して前記コンテンツ提供装置もしくは前記コンテンツサーバ装置に送信するとともに、所定のセッション情報記憶手段に格納するセッション情報一時発行工程と、
前記利用者端末から前記セッション情報を含んだ認証要求を前記利用者認証情報とともに受信した場合に、前記セッション情報が前記セッション情報記憶手段に記憶され、かつ、前記利用者認証情報が前記利用者認証情報記憶手段に記憶されているときに限り、前記利用者認証情報を前記利用者認証情報記憶手段から取得して、前記セッション情報に対応付けて前記セッション情報記憶手段に格納するセッション情報正規発行工程と、
前記コンテンツ提供装置もしくは前記コンテンツサーバ装置から、前記認証結果問い合わせ要求とともに前記セッション情報を受信した場合に、当該セッション情報と利用者認証情報とが対応付けられて前記セッション情報記憶手段に記憶されているか否かを判定し、前記利用者が正当な利用者であるか否かを認証する利用者認証工程と、
を含んだことを特徴とする通信方法。
【発明の詳細な説明】
【技術分野】
【０００１】
この発明は、コンテンツを視聴可能に出力するコンテンツ視聴装置がコンテンツ提供装置を介して他の装置と接続されるように構成された宅内ネットワークと、宅内ネットワークの利用者が正当な利用者であるか否かを認証する認証サーバ装置と、利用者が正当な利用者として認証されることを条件にコンテンツ提供装置を介してコンテンツ視聴装置にコンテンツを提供するコンテンツサーバ装置とを、ネットワークを介して相互に通信可能に接続して構成される通信システムおよび通信方法に関する。
【背景技術】
【０００２】
従来より、家庭にＰＣ（Personal  Computer）が普及するにつれて、インターネットの利用も普及してきた。これに伴い、サービス提供者は、インターネットを介して様々なサービス（コンテンツ）を提供している。これらのサービスを利用するために、利用者は、まず、サービス提供者に対して利用者登録を行い、その後、サービス提供者が提供するサービスを利用することができる。
【０００３】
そして、最近では、情報家電の普及により、インターネットの利用者がさらに増加し、利用者が使用する端末装置も、以前から使用されているＰＣの他に、ネットワーク対応ＴＶなど情報家電も多く使用されるようになってきている。このような情報家電の接続には、ＤＬＮＡ（Digital  Living  Network  Alliance）規格が利用されている。
【０００４】
このＤＬＮＡ規格は、情報家電同士でサービス（コンテンツ）を相互利用するものであり、利用者登録や利用者認証を行うことができない。つまり、ＤＬＮＡ規格を用いてインターネット上のサービス提供者に接続して、利用者登録を行うことができない。そこで、ネットワーク対応ＴＶなどの情報家電においても、ＰＣなどと同様に、サービス提供者が提供するサービスを利用するための様々な利用者登録手法が提示されている。
【０００５】
例えば、特許文献１（特開２００６−１７４３２０号公報）では、情報家電によりインターネット上のサービス（コンテンツ）を利用する際にも、はじめに、インターネットブラウザを有するＰＣを用いて利用者登録を行い、その後、情報家電を用いてサービスを利用する技術が開示されている。
【０００６】
また、非特許文献１では、ＰＣやネットワーク対応ＴＶなどサービスを利用する装置に、サービス提供者が提供するサービスを利用するための専用アプリケーションをインストールし、当該アプリケーションを用いてのみサービスを利用することができる技術が開示されている。
【０００７】
【特許文献１】特開２００６−１７４３２０号公報
【非特許文献１】“会員登録不要の課金処理を実現  映像コンテンツの衝動買いを可能に”、日経ニューメディア、２００６年４月３日、ｐ１６
【発明の開示】
【発明が解決しようとする課題】
【０００８】
ところで、上記した従来の技術の特許文献１では、インターネットブラウザを使用できる情報家電では、従来のＰＣと同様に利用者登録を行うことができるが、インターネットブラウザを使用できない情報家電では、一度、ＰＣなどを用いて利用者登録を行う必要があるなど、情報家電の性能に応じて利用者登録の手法が異なるため、利便性が悪いという課題があった。
【０００９】
また、上記した非特許文献１では、インターネット上のサービス（コンテンツ）を利用する情報家電全てに専用アプリケーションをインストールする必要があるため、利便性が悪いという課題があった。
【００１０】
そこで、この発明は、上述した従来技術の課題を解決するためになされたものであり、情報家電でコンテンツを利用するのに際して、利便性の高い利用者認証を行うことが可能である通信システムおよび通信方法を提供することを目的とする。
【課題を解決するための手段】
【００１１】
上述した課題を解決し、目的を達成するため、請求項１に係る発明は、コンテンツを視聴可能に出力するコンテンツ視聴装置がコンテンツ提供装置を介して他の装置と接続されるように構成された宅内ネットワークと、前記宅内ネットワークの利用者が正当な利用者であるか否かを認証する認証サーバ装置と、前記利用者が正当な利用者として認証されることを条件に前記コンテンツ提供装置を介して前記コンテンツ視聴装置に前記コンテンツを提供するコンテンツサーバ装置とを、ネットワークを介して相互に通信可能に接続して構成される通信システムであって、前記コンテンツ提供装置または前記コンテンツサーバ装置は、前記コンテンツ視聴装置からコンテンツの視聴を要求するコンテンツ要求を受信した場合に、当該コンテンツの視聴に伴う利用者認証に用いられるセッション情報を要求するセッション情報要求を、前記認証サーバ装置に送信するセッション情報要求送信手段と、前記認証サーバ装置で発行されたセッション情報を受信した場合に、当該セッション情報を前記コンテンツ視聴装置で視聴可能なコンテンツとして形成される認証用コンテンツを生成し、前記コンテンツ視聴装置に送信する認証用コンテンツ生成手段と、前記認証用コンテンツ生成手段により認証用コンテンツが前記コンテンツ視聴装置に送信された後に、前記利用者が正当な利用者であるか否かを示す認証結果を問い合わせる認証結果問い合わせ要求とともに、前記セッション情報を前記認証サーバ装置に送信する認証結果問い合わせ手段と、前記認証サーバ装置は、前記利用者を一意に識別する利用者認証情報に対応付けて、当該宅内ネットワークの利用者が所有する利用者端末に記憶され、当該利用者の認証に用いられる利用者認証情報を記憶する利用者認証情報記憶手段と、前記コンテンツ提供装置もしくは前記コンテンツサーバ装置からセッション情報要求を受信した場合に、前記セッション情報を発行して前記コンテンツ提供装置もしくは前記コンテンツサーバ装置に送信するとともに、所定のセッション情報記憶手段に格納するセッション情報一時発行手段と、前記利用者端末から前記セッション情報を含んだ認証要求を前記利用者認証情報とともに受信した場合に、前記セッション情報が前記セッション情報記憶手段に記憶され、かつ、前記利用者認証情報が前記利用者認証情報記憶手段に記憶されているときに限り、前記利用者認証情報を前記利用者認証情報記憶手段から取得して、前記セッション情報に対応付けて前記セッション情報記憶手段に格納するセッション情報正規発行手段と、前記コンテンツ提供装置もしくは前記コンテンツサーバ装置から、前記認証結果問い合わせ要求とともに前記セッション情報を受信した場合に、当該セッション情報と利用者認証情報とが対応付けられて前記セッション情報記憶手段に記憶されているか否かを判定し、前記利用者が正当な利用者であるか否かを認証する利用者認証手段と、を備えたことを特徴とする。
【００１２】
また、請求項２に係る発明は、上記の発明において、前記コンテンツサーバ装置は、暗号化されたコンテンツを前記コンテンツ提供装置に送信するものであって、前記利用者認証手段は、前記利用者が正当な利用者であると認証された場合に、前記コンテンツを復号する復号鍵を前記コンテンツ提供装置に送信することを特徴とする。
【００１３】
また、請求項３に係る発明は、上記の発明において、前記コンテンツ視聴装置は、前記コンテンツ要求とともに、前記宅内ネットワークに接続される宅内端末装置に一意に割り当てられた識別番号を送信し、前記セッション情報要求送信手段は、前記コンテンツ視聴装置から前記コンテンツ要求と前記識別番号とを受信した場合に、前記セッション情報要求と前記識別番号とを、前記認証サーバ装置に送信し、前記セッション情報記憶手段は、前記セッション情報と前記利用者認証情報と前記識別番号とを記憶するものであって、前記セッション情報一時発行手段は、前記コンテンツ提供装置もしくは前記コンテンツサーバ装置から前記セッション情報要求と前記識別番号を受信した場合に、前記識別番号に対応付けられたセッション情報が前記セッション情報記憶手段に記憶されているときは、認証許可を示す認証結果を前記コンテンツサーバ装置もしくは前記コンテンツ提供装置に送信し、前記識別番号に対応付けられたセッション情報が前記セッション情報記憶手段に記憶されていないときは、セッション情報を発行して前記コンテンツ提供装置もしくは前記コンテンツサーバ装置に送信するとともに、前記セッション情報と前記識別番号とを対応付けて前記セッション情報記憶手段に格納し、前記セッション情報正規発行手段は、利用者端末から前記セッション情報を含んだ認証要求を前記利用者認証情報と前記識別番号とともに受信した場合に、前記セッション情報と前記識別番号とが前記セッション情報記憶手段に記憶され、かつ、前記利用者認証情報が前記利用者認証情報記憶手段に記憶されているときに限り、前記利用者認証情報を前記利用者認証情報記憶手段から取得して、前記セッション情報に対応付けて前記セッション情報記憶手段に格納し、前記利用者認証手段は、前記コンテンツ提供装置もしくは前記コンテンツサーバ装置から、前記認証結果問い合わせ要求とともに前記セッション情報を受信した場合に、当該セッション情報と利用者認証情報と識別番号が対応付けられて前記セッション情報記憶手段に記憶されているか否かを判定し、前記利用者が正当な利用者であるか否かを認証することを特徴とする。
【００１４】
また、請求項４に係る発明は、上記の発明において、前記コンテンツ視聴装置は、前記コンテンツ要求とともに、前記宅内ネットワークに接続される宅内端末装置に一意に割り当てられた識別番号を送信するものであって、前記コンテンツ提供装置は、前記コンテンツ要求を送信した宅内端末装置に一意に割り当てられた識別番号と、前記コンテンツ要求を送信した前記宅内端末装置に対して発行された前記セッション情報とを対応付けて記憶する識別番号記憶手段と、前記コンテンツサーバ装置から当該セッション情報と対応付けられたコンテンツが送信された場合に、当該セッション情報に対応付けられて記憶される前記識別番号を前記識別番号記憶手段から取得し、前記識別番号が割り振られた宅内端末装置にのみ、当該コンテンツを送信するコンテンツ送信手段とをさらに備えたことを特徴とする。
【００１５】
また、請求項５に係る発明は、上記の発明において、前記コンテンツサーバ装置のセッション情報要求送信手段は、前記コンテンツ提供装置から前記セッション情報要求を受信した場合に、前記コンテンツ視聴装置が視聴を希望するコンテンツに関するコンテンツ情報と前記セッション情報要求とを前記認証サーバ装置に送信し、前記セッション情報一時発行手段は、前記コンテンツサーバ装置から前記セッション情報要求と前記コンテンツ情報を受信した場合に、前記セッション情報を発行して前記コンテンツ視聴装置もしくは前記コンテンツサーバ装置に送信するとともに、前記セッション情報と前記コンテンツ情報とを対応付けて前記セッション情報記憶手段に格納し、前記セッション情報正規発行手段は、利用者端末から前記セッション情報を含んだ認証要求を前記利用者認証情報とともに受信した場合に、前記セッション情報と前記コンテンツ情報とが前記セッション情報記憶手段に記憶され、かつ、前記利用者認証情報が前記利用者認証情報記憶手段に記憶されているときに限り、前記利用者認証情報を前記利用者認証情報記憶手段から取得して、前記セッション情報と前記コンテンツ情報とに対応付けて前記セッション情報記憶手段に格納し、前記利用者認証手段は、前記コンテンツサーバ装置から、前記認証結果問い合わせ要求とともに前記セッション情報を受信した場合に、当該セッション情報と利用者認証情報とが対応付けられて前記セッション情報記憶手段に記憶され、かつ、前記利用者認証情報記憶手段に記憶される利用者認証情報が前記コンテンツ情報の所定の条件を満たすか否かを判定し、前記利用者が正当な利用者であるか否かを認証することを特徴とする。
【００１６】
また、請求項６に係る発明は、上記の発明において、前記認証用コンテンツ生成手段は、前記認証サーバ装置で発行されたセッション情報を受信した場合に、前記コンテンツ視聴装置が動画像コンテンツを視聴可能に出力するものであるときは、当該セッション情報を動画像コンテンツとして形成される認証用動画像コンテンツを生成して前記コンテンツ視聴装置に送信し、前記コンテンツ視聴装置が音声コンテンツを視聴可能に出力するものであるときは、当該セッション情報を音声コンテンツとして形成される認証用音声コンテンツを生成して前記コンテンツ視聴装置に送信し、前記コンテンツ視聴装置が静止画コンテンツを視聴可能に出力するものであるときは、当該セッション情報を静止画コンテンツとして形成される認証用静止画コンテンツを生成して前記コンテンツ視聴装置に送信することを特徴とする。
【００１７】
また、請求項７に係る発明は、コンテンツを視聴可能に出力するコンテンツ視聴装置がコンテンツ提供装置を介して他の装置と接続されるように構成された宅内ネットワークと、前記宅内ネットワークの利用者が正当な利用者であるか否かを認証する認証サーバ装置と、前記利用者が正当な利用者として認証されることを条件に前記コンテンツ提供装置を介して前記コンテンツ視聴装置に前記コンテンツを提供するコンテンツサーバ装置とを、ネットワークを介して相互に通信可能に接続して構成することに適した通信方法であって、前記コンテンツ提供装置または前記コンテンツサーバ装置は、前記コンテンツ視聴装置からコンテンツの視聴を要求するコンテンツ要求を受信した場合に、当該コンテンツの視聴に伴う利用者認証に用いられるセッション情報を要求するセッション情報要求を、前記認証サーバ装置に送信するセッション情報要求送信工程と、前記認証サーバ装置で発行されたセッション情報を受信した場合に、当該セッション情報を前記コンテンツ視聴装置で視聴可能なコンテンツとして形成される認証用コンテンツを生成し、前記コンテンツ視聴装置に送信する認証用コンテンツ生成工程と、前記認証用コンテンツ生成工程により認証用コンテンツが前記コンテンツ視聴装置に送信された後に、前記利用者が正当な利用者であるか否かを示す認証結果を問い合わせる認証結果問い合わせ要求とともに、前記セッション情報を前記認証サーバ装置に送信する認証結果問い合わせ工程と、前記認証サーバ装置は、前記利用者を一意に識別する利用者認証情報に対応付けて、当該宅内ネットワークの利用者が所有する利用者端末に記憶され、当該利用者の認証に用いられる利用者認証情報を記憶する利用者認証情報記憶手段と、前記コンテンツ提供装置もしくは前記コンテンツサーバ装置からセッション情報要求を受信した場合に、前記セッション情報を発行して前記コンテンツ提供装置もしくは前記コンテンツサーバ装置に送信するとともに、所定のセッション情報記憶手段に格納するセッション情報一時発行工程と、前記利用者端末から前記セッション情報を含んだ認証要求を前記利用者認証情報とともに受信した場合に、前記セッション情報が前記セッション情報記憶手段に記憶され、かつ、前記利用者認証情報が前記利用者認証情報記憶手段に記憶されているときに限り、前記利用者認証情報を前記利用者認証情報記憶手段から取得して、前記セッション情報に対応付けて前記セッション情報記憶手段に格納するセッション情報正規発行工程と、前記コンテンツ提供装置もしくは前記コンテンツサーバ装置から、前記認証結果問い合わせ要求とともに前記セッション情報を受信した場合に、当該セッション情報と利用者認証情報とが対応付けられて前記セッション情報記憶手段に記憶されているか否かを判定し、前記利用者が正当な利用者であるか否かを認証する利用者認証工程と、を含んだことを特徴とする。
【発明の効果】
【００１８】
請求項１または７の発明によれば、コンテンツ提供装置またはコンテンツサーバ装置は、コンテンツ視聴装置からコンテンツの視聴を要求するコンテンツ要求を受信した場合に、当該コンテンツの視聴に伴う利用者認証に用いられるセッション情報を要求するセッション情報要求を、認証サーバ装置に送信し、認証サーバ装置で発行されたセッション情報を受信した場合に、当該セッション情報をコンテンツ視聴装置で視聴可能なコンテンツとして形成される認証用コンテンツを生成し、コンテンツ視聴装置に送信し、認証用コンテンツがコンテンツ視聴装置に送信された後に、利用者が正当な利用者であるか否かを示す認証結果を問い合わせる認証結果問い合わせ要求とともに、セッション情報を認証サーバ装置に送信し、認証サーバ装置は、利用者を一意に識別する利用者認証情報に対応付けて、当該宅内ネットワークの利用者が所有する利用者端末に記憶され、当該利用者の認証に用いられる利用者認証情報を記憶し、コンテンツ提供装置もしくはコンテンツサーバ装置からセッション情報要求を受信した場合に、セッション情報を発行してコンテンツ提供装置もしくはコンテンツサーバ装置に送信するとともに、所定のセッション情報記憶手段に格納し、利用者端末からセッション情報を含んだ認証要求を利用者認証情報とともに受信した場合に、セッション情報が記憶され、かつ、利用者認証情報が記憶されているときに限り、利用者認証情報を取得して、セッション情報に対応付けて格納し、コンテンツ提供装置もしくはコンテンツサーバ装置から、認証結果問い合わせ要求とともにセッション情報を受信した場合に、当該セッション情報と利用者認証情報とが対応付けられて記憶されているか否かを判定し、利用者が正当な利用者であるか否かを認証するので、情報家電でコンテンツを利用するのに際して、利便性の高い利用者認証を行うことが可能である。
【００１９】
例えば、ＤＬＮＡを利用した動画や静止画などとして認証画面をネットワーク対応ＴＶに出力することができるので、別途、ＰＣなどインターネットブラウザを用いて認証する必要がない結果、利便性の高い利用者認証を行うことが可能である。また、携帯電話などの個人端末装置を用いて認証するので、強固な認証を行うことが可能である。
【００２０】
また、請求項２の発明によれば、コンテンツサーバ装置は、暗号化されたコンテンツをコンテンツ提供装置に送信するものであって、利用者が正当な利用者であると認証された場合に、コンテンツを復号する復号鍵をコンテンツ提供装置に送信するので、契約者だけがコンテンツを視聴するようにすることが可能である。
【００２１】
例えば、スクランブル放送のように、料金を払う契約者だけが受信できるようにコンテンツサーバ装置（例えば、放送事業者）側で放送に電波を乱す暗号をかけて送信し、契約者だけが復号鍵を受信して当該放送を視聴するようにすることが可能である。また、これに伴い、課金などを行うことも可能である。
【００２２】
また、請求項３の発明によれば、コンテンツ視聴装置は、コンテンツ要求とともに、宅内ネットワークに接続される宅内端末装置に一意に割り当てられた識別番号を送信し、コンテンツ視聴装置からコンテンツ要求と識別番号とを受信した場合に、セッション情報要求と識別番号とを、認証サーバ装置に送信し、セッション情報と利用者認証情報と識別番号とを記憶するものであって、コンテンツ提供装置もしくはコンテンツサーバ装置からセッション情報要求と識別番号を受信した場合に、識別番号に対応付けられたセッション情報が記憶されているときは、認証許可を示す認証結果をコンテンツサーバ装置もしくはコンテンツ提供装置に送信し、識別番号に対応付けられたセッション情報が記憶されていないときは、セッション情報を発行してコンテンツ提供装置もしくはコンテンツサーバ装置に送信するとともに、セッション情報と識別番号とを対応付けて格納し、利用者端末からセッション情報を含んだ認証要求を利用者認証情報と識別番号とともに受信した場合に、セッション情報と識別番号とが記憶され、かつ、利用者認証情報が記憶されているときに限り、利用者認証情報を取得して、セッション情報に対応付けて格納し、コンテンツ提供装置もしくはコンテンツサーバ装置から、認証結果問い合わせ要求とともにセッション情報を受信した場合に、当該セッション情報と利用者認証情報と識別番号が対応付けられて記憶されているか否かを判定し、利用者が正当な利用者であるか否かを認証するので、宅内ネットワークに接続される宅内端末装置（情報家電）ごとに、認証することができる結果、より強固な認証を行うことが可能である。
【００２３】
例えば、はじめに、宅内ネットワークに接続されるネットワーク対応ＴＶがコンテンツ要求を送信して認証されてコンテンツが提供され、次に、ＨＤＤがコンテンツ要求を送信すると、ＨＤＤがすでに認証されていると判定されてコンテンツを提供されることが起こりうるが、ネットワーク対応ＴＶの識別番号を「０１」、ＨＤＤの識別番号を「０２」として、はじめに「０１」のネットワーク対応ＴＶからコンテンツ要求を受信して認証しコンテンツが提供されると、次に「０２」のＨＤＤがコンテンツ要求を送信しても認証されていると判定されることがなく、ＨＤＤもネットワーク対応ＴＶと同様に認証されることが必要である結果、より強固な認証を行うことが可能である。
【００２４】
また、請求項４の発明によれば、コンテンツ視聴装置は、コンテンツ要求とともに、宅内ネットワークに接続される宅内端末装置に一意に割り当てられた識別番号を送信するものであって、コンテンツ提供装置は、コンテンツ要求を送信した宅内端末装置に一意に割り当てられた識別番号と、コンテンツ要求を送信した宅内端末装置に対して発行されたセッション情報とを対応付けて記憶し、コンテンツサーバ装置から当該セッション情報と対応付けられたコンテンツが送信された場合に、当該セッション情報に対応付けられて記憶される識別番号を取得し、識別番号が割り振られた宅内端末装置にのみ、当該コンテンツを送信するので、宅内ネットワークに接続される認証された宅内端末装置（情報家電）のみにコンテンツを送信することができる結果、より強固な認証を行うことが可能である。
【００２５】
また、請求項５の発明によれば、コンテンツサーバ装置は、コンテンツ提供装置からセッション情報要求を受信した場合に、コンテンツ視聴装置が視聴を希望するコンテンツに関するコンテンツ情報とセッション情報要求とを認証サーバ装置に送信し、コンテンツサーバ装置からセッション情報要求とコンテンツ情報を受信した場合に、セッション情報を発行してコンテンツ視聴装置もしくはコンテンツサーバ装置に送信するとともに、セッション情報とコンテンツ情報とを対応付けて格納し、利用者端末からセッション情報を含んだ認証要求を利用者認証情報とともに受信した場合に、セッション情報とコンテンツ情報とが記憶され、かつ、利用者認証情報が記憶されているときに限り、利用者認証情報を取得して、セッション情報とコンテンツ情報とに対応付けて格納し、コンテンツサーバ装置から、認証結果問い合わせ要求とともにセッション情報を受信した場合に、当該セッション情報と利用者認証情報とが対応付けられて記憶され、かつ、記憶される利用者認証情報がコンテンツ情報の所定の条件を満たすか否かを判定し、利用者が正当な利用者であるか否かを認証するので、例えば、利用者認証情報として年齢情報を記憶する場合、年齢に応じてコンテンツの視聴可否を判定できる結果、より細かな認証を行うことが可能である。
【００２６】
例をあげると、２０歳未満の利用者からのセッション情報要求を拒否したり、受信した利用者の年齢に応じて提供するコンテンツを変更したり、受信した利用者の年齢で許可できるコンテンツのみを提供するなど、より細かな認証を行うことが可能である。また、年齢だけでなく、性別や職業などにより認証してもよい。
【００２７】
また、請求項６の発明によれば、認証サーバ装置で発行されたセッション情報を受信した場合に、コンテンツ視聴装置が動画像コンテンツを視聴可能に出力するものであるときは、当該セッション情報を動画像コンテンツとして形成される認証用動画像コンテンツを生成してコンテンツ視聴装置に送信し、コンテンツ視聴装置が音声コンテンツを視聴可能に出力するものであるときは、当該セッション情報を音声コンテンツとして形成される認証用音声コンテンツを生成してコンテンツ視聴装置に送信し、コンテンツ視聴装置が静止画コンテンツを視聴可能に出力するものであるときは、当該セッション情報を静止画コンテンツとして形成される認証用静止画コンテンツを生成してコンテンツ視聴装置に送信するので、情報家電でコンテンツを利用するのに際して、さらに利便性の高い利用者認証を行うことが可能である。例えば、認証用コンテンツを動画や静止画だけでなく、音声出力することができる結果、モニタなどがない端末装置に対しても利用者認証を行うことが可能である。
【発明を実施するための最良の形態】
【００２８】
以下に添付図面を参照して、この発明に係る通信システムの実施例を詳細に説明する。なお、以下の実施例で用いる主要な用語、実施例１に係る通信システムの概要および特徴、実施例１に係る通信システムの構成および処理の手順、実施例１の効果を順に説明し、続いて、他の実施例について説明する。
【実施例１】
【００２９】
［用語の説明］
まず最初に、本実施例で用いる主要な用語を説明する。本実施例で用いる「通信システム」とは、宅内ネットワークと認証サーバ装置とコンテンツサーバ装置とがインターネットなどのネットワークを介して相互に通信可能に接続されて構成されるシステムである。なお、本実施例では、一つの宅内ネットワークと一つの認証サーバ装置と一つのコンテンツサーバ装置とか構成されるシステムについて説明するが、本発明はこれに限定されるものではなく、それぞれが複数存在していてもよい。例えば、一つの宅内ネットワークと一つの認証サーバ装置と三つのコンテンツサーバ装置とから構成されたり、二つの宅内ネットワークと三つの認証サーバ装置と四つのコンテンツサーバ装置とから構成されるなど、それぞれにおいて数的な制限はない。
【００３０】
また、本実施例で用いる「宅内ネットワーク」とは、家庭内ＬＡＮやホームネットワークのことであり、具体的には、後述するコンテンツ提供装置、ネットワーク対応ＴＶ、ＰＣ（Personal  Computer）、ＨＤＤ（Hard  Disk  Drive）などの宅内端末装置がＤＬＮＡ（Digital  Living  Network  Alliance）を用いて接続されて構成される。なお、上記した宅内端末装置は、あくまで一例であり、Ｗｅｂカメラや電話機など様々な装置が接続される。また、必ずしも宅内ネットワークである必要はなく、社内ネットワークなどのＬＡＮであってもよい。
【００３１】
また、「コンテンツ提供装置」とは、宅内ネットワークの各装置とインターネット上の認証サーバ装置やコンテンツサーバ装置とを通信可能に接続する装置（例えば、ＨＧＷ：ＨｏｍｅＧａｔｅＷａｙ）であり、アドレス変換やデータの載せ換えなどを行うことにより情報家電を相互接続し、コンテンツサーバ装置から送信されたコンテンツをコンテンツ視聴装置に送信する。具体的には、インターネットと宅内ネットワークの間に配置され、ホームルータ、プロトコル変換、ファイアウォール、ファイアウォールのルール動的変更などの機能や放送受信機能などのセットトップボックスを備える。なお、本実施例では、宅内ネットワークとインターネットとを接続するＨＧＷとして説明するが、本発明はこれに限定されるものではなく、インターネットに接続することができる宅内ネットワーク内の装置であればいずれの装置であってもよい。例えば、Ｗｅｂ機能を備えるＨＤＤ、ＰＣ、ネットワーク対応ＴＶであってもよい。また、「コンテンツ提供装置」は、特許請求の範囲に記載の「コンテンツ提供装置」に対応する。
【００３２】
また、「ネットワーク対応ＴＶ」は、インターネット接続をすることができるが、インターネットブラウザを備えておらず、コンテンツサーバ装置から送信されたコンテンツを視聴可能に出力する装置である。「ネットワーク対応ＴＶ」は、宅内ネットワーク内のコンテンツを利用する場合には、宅内ネットワークに接続される他の装置にコンテンツ要求を送信して利用することができ、宅内ネットワーク外のコンテンツを利用する場合には、コンテンツ提供装置に対してコンテンツ要求を送信して、コンテンツサーバ装置からコンテンツを提供されて利用することができる。なお、「ネットワーク対応ＴＶ」は、特許請求の範囲に記載の「コンテンツ視聴装置」に対応するが、特許請求の範囲に記載の「コンテンツ視聴装置」は、必ずしも「ネットワーク対応ＴＶ」である必要はなく、例えば、コンテンツを利用することができるＨＤＤやＰＣなどの装置であってもよい。
【００３３】
また、「ＨＤＤ」は、ハードディスクレコーダーなどの記録媒体であり、ネットワーク対応ＴＶと接続することで、外部から録画予約などを受け付けることができる。「ＰＣ」は、一般的なコンピュータ装置であり、インターネットブラウザ（Ｗｅｂブラウザ）を備えてインターネット接続などを行うことができる。また、「携帯電話」とは、宅内ネットワークの利用者である利用者Ａに所持され、個体識別番号を記憶する通信端末であり、ＱＲコード（登録商標）読み取り機能やインターネット接続機能を備えて構成される。また、「携帯電話」は、認証用音声コンテンツを受信した場合、当該コンテンツからセッション情報を読み出す機能を備えている。
【００３４】
また、「認証サーバ装置」とは、宅内ネットワークの利用者が正当な利用者であるか否かを認証する装置である。具体的には、コンテンツ視聴装置であるネットワーク対応ＴＶから送信されたコンテンツ要求をコンテンツ提供装置から受信すると、「認証サーバ装置」は、セッション情報を生成して当該セッション情報をコンテンツ提供装置に送信する。その後、「認証サーバ装置」は、携帯電話などの端末装置などから利用者認証情報を受信して、利用者認証を行う。例えば、「認証サーバ装置」は、セッション情報を送信した利用者から利用者認証情報を受信した場合に、認証許可と判定して認証結果をコンテンツ提供装置に送信し、セッション情報を送信した利用者とは異なる利用者認証情報を受信した場合に、認証拒否と判定して認証結果をコンテンツ提供装置に送信する。認証許可されたコンテンツ視聴装置は、視聴を希望するコンテンツを出力することができ、認証拒否されたコンテンツ視聴装置は、視聴を希望するコンテンツを出力することができない。
【００３５】
また、「コンテンツサーバ装置」とは、利用者が正当な利用者として認証されることを条件にコンテンツ提供装置を介してコンテンツ視聴装置にコンテンツを提供する装置である。例えば、認証サーバ装置によりネットワーク対応ＴＶが正当な利用者であると認証されると、「コンテンツサーバ装置」は、ＶＯＤ（Video  On  Demand）、音楽ダウンロード、漫画などの様々なコンテンツをネットワーク対応ＴＶに提供する。なお、本実施例では、コンテンツサーバ装置は、インターネット上に接続される装置として説明するが、本発明はこれに限定されるものではなく、宅内ネットワーク内に接続されていてもよい。例えば、ＨＤＤレコーダなどに実装されていてもよい。また、コンテンツ提供装置に組み込まれていてもよく、つまり、コンテンツ提供装置自体がコンテンツを提供する機能を実装していてもよい。また、「コンテンツサーバ装置」は、別の宅内ネットワーク上にあってもよく、その場合、認証が許可（成功）すると、コンテンツサーバ装置が接続される宅内ネットワークとコンテンツ提供装置との間にＶＰＮ接続されて、コンテンツ提供装置にコンテンツを提供する。
【００３６】
［通信システムの概要および特徴］
次に、図１を用いて、実施例１に係る通信システムの概要および特徴を説明する。図１は、実施例１に係る通信システムの全体構成を示すシステム構成図である。
【００３７】
図１に示すように、実施例１に係る通信システムは、宅内ネットワークと、認証サーバ装置と、コンテンツサーバ装置とがインターネットを介して相互に通信可能に接続されて構成される。宅内ネットワークは、コンテンツ提供装置と、ネットワーク対応ＴＶと、ＰＣと、ＨＤＤとがＤＬＮＡを用いて相互に通信可能に接続されて構成される。そして、携帯電話は、個体識別番号として、例えば「００−１１−ＦＦ」を記憶しており、宅内ネットワークの利用者である利用者Ａにより所持されている。また、コンテンツサーバ装置は、提供するコンテンツ一覧として、「ＶＯＤ、音楽、漫画」などを記憶する。
【００３８】
このような構成のもと、実施例１に係る通信システムは、宅内ネットワークの利用者が正当な利用者であるか否かを認証し、利用者が正当な利用者として認証されることを条件にコンテンツ提供装置を介してコンテンツ視聴装置にコンテンツを提供することを概要とするものであり、特に、情報家電でコンテンツを利用するのに際して、利便性の高い利用者認証を行うことが可能である点に主たる特徴がある。
【００３９】
この主たる特徴を具体的に説明すると、認証サーバ装置は、当該宅内ネットワークの利用者が所有する利用者端末に記憶され、当該利用者の認証に用いられる利用者認証情報を利用者認証情報ＤＢに記憶する。具体的に例を挙げると、利用者認証情報ＤＢは、『利用者を示す「利用者名」、利用者が利用する携帯電話の個体識別番号を示す「個体識別番号」』として「利用者Ａ、００−１１−ＦＦ」などと記憶する。
【００４０】
また、認証サーバ装置は、利用者認証情報とセッション情報に対応付けてセッション情報ＤＢに格納する。具体的に例を挙げれば、セッション情報ＤＢは、セッション情報が生成されてコンテンツ提供装置に送信されて、携帯電話から認証要求と識別番号を受信すると、『携帯電話から認証要求とともに送信され、利用者認証情報ＤＢに登録（記憶）されていることが確認された「個体識別番号」、生成し送信したセッション情報を示す「セッション情報」として「００−１１−ＦＦ、１２３４５６７８９」と記憶する。
【００４１】
このような状態において、ネットワーク対応ＴＶは、利用者の指示操作によりコンテンツの視聴を要求するコンテンツ要求をコンテンツ提供装置に送信する（図１の（１）参照）。具体的に例を挙げると、利用者の指示操作により、ネットワーク対応ＴＶは、コンテンツ一覧をモニタに出力する（図６参照）。続いて、利用者により「オンライン」が選択されると、ネットワーク対応ＴＶは、コンテンツ要求をコンテンツ提供装置に送信する。ここでは、「オンライン」が選択されたのを受け付けると、コンテンツ要求を送信する場合について説明するが、「オンライン」ではなく「コンテンツ名」（例えば、ＶＯＤや音楽など）を出力して利用者からの選択を受け付けると、コンテンツ要求を送信するようにしてもよく、ここで例示する「オンライン」や「コンテンツ名」などは、ネットワーク対応ＴＶに表示されるコンテンツ表示を限定するものではない。
【００４２】
そして、ネットワーク対応ＴＶからコンテンツ要求を受信した場合に、コンテンツ提供装置は、当該コンテンツの視聴に伴う利用者認証に用いられるセッション情報を要求するセッション情報要求を、認証サーバ装置に送信する（図１の（２）参照）。続いて、認証サーバ装置は、コンテンツ提供装置からセッション情報要求を受信した場合に、セッション情報を発行してコンテンツ提供装置に送信するとともに、所定のセッション情報ＤＢに格納する（図１の（３）参照）。
【００４３】
上記した例で具体的に説明すると、認証サーバ装置は、コンテンツ提供装置からセッション情報要求を受信した場合に、セッション情報「１２３４５６７８９」を発行してコンテンツ提供装置に送信するとともに、セッション情報「１２３４５６７８９」を一時的にセッション情報ＤＢに格納する。なお、このとき、コンテンツ提供装置の識別番号や認証情報をセッション情報と対応付けてセッション情報ＤＢに保存してもよい。
【００４４】
その後、コンテンツ提供装置は、認証サーバ装置で発行されたセッション情報を受信した場合に、当該セッション情報をネットワーク対応ＴＶで視聴可能なコンテンツとして形成される認証用コンテンツを生成し、ネットワーク対応ＴＶに送信する（図１の（４）参照）。上記した例で具体的に説明すると、コンテンツ提供装置は、認証サーバ装置で発行されたセッション情報「１２３４５６７８９」を受信した場合に、当該セッション情報をネットワーク対応ＴＶで視聴可能なＱＲコードとして形成される認証用コンテンツ（図７参照）を生成し、ネットワーク対応ＴＶに送信する。
【００４５】
続いて、認証用コンテンツを受信したネットワーク対応ＴＶは、受信した認証用コンテンツをモニタに出力し、携帯電話は、ネットワーク対応ＴＶに出力されたセッション情報を含んだ認証要求を利用者認証情報とともに認証サーバ装置に送信する（図１の（５）と（６）参照）。上記した例で具体的に説明すると、ネットワーク対応ＴＶは、受信した認証用コンテンツであるＱＲコードをモニタに出力する。そして、携帯電話は、利用者の操作によりネットワーク対応ＴＶに出力されるＱＲコードを読み取ると、自動的にセッション情報「１２３４５６７８９」を取得して認証要求とともに個体識別番号「００−１１−ＦＦ」を認証サーバ装置に送信する。
【００４６】
そして、認証サーバ装置は、携帯電話から、セッション情報を含んだ認証要求を利用者認証情報とともに受信した場合に、セッション情報がセッション情報ＤＢに記憶され、かつ、利用者認証情報が利用者認証情報ＤＢに記憶されているときに限り、利用者認証情報を利用者認証情報ＤＢから取得して、セッション情報に対応付けてセッション情報ＤＢに格納する（図１の（７）参照）。上記した例で具体的に説明すると、認証サーバ装置は、携帯電話からセッション情報「１２３４５６７８９」を含んだ認証要求と個体識別番号「００−１１−ＦＦ」とを受信した場合に、セッション情報「１２３４５６７８９」がセッション情報ＤＢに記憶され、かつ、利用者認証情報「００−１１−ＦＦ」が利用者認証情報ＤＢに記憶されているときに限り、利用者認証情報「００−１１−ＦＦ」を利用者認証情報ＤＢから取得して、セッション情報「１２３４５６７８９」に対応付けてセッション情報ＤＢに格納する。つまり、利用者認証情報ＤＢに記憶される携帯電話から、セッション情報ＤＢに記憶されるセッション情報を受信した場合、認証サーバ装置は、利用者を正当な利用者であると一時的に仮定して（利用者候補）、利用者認証情報とセッション情報とを対応付けて、セッション情報ＤＢに格納する。
【００４７】
その後、コンテンツ提供装置は、認証用コンテンツがネットワーク対応ＴＶに送信された後に、利用者が正当な利用者であるか否かを示す認証結果を問い合わせる認証結果問い合わせ要求とともに、セッション情報を認証サーバ装置に送信する（図１の（８）参照）。上記した例で具体的に説明すると、利用者からの指示操作により、認証用コンテンツがネットワーク対応ＴＶに送信された後に、利用者が正当な利用者であるか否かを示す認証結果を問い合わせる認証結果問い合わせ要求とともに、セッション情報「１２３４５６７８９」を認証サーバ装置に送信する。ここで、利用者の指示操作によって、コンテンツ提供装置は、認証結果を問い合わせることとしたが、例えば、一定時間経過後自動的に問い合わせをしてもよく、問い合わせる契機はいずれの契機であってもよい。なお、問い合わせを行った際に、まだ、認証が行われてなかった場合、認証サーバ装置は、応答しなかったり、認証中などの応答をするようにしてもよい。
【００４８】
続いて、認証サーバ装置は、コンテンツ提供装置から、認証結果問い合わせ要求とともにセッション情報を受信した場合に、当該セッション情報と利用者認証情報とが対応付けられてセッション情報ＤＢに記憶されているか否かを判定し、利用者が正当な利用者であるか否かを認証する（図１の（９）参照）。上記した例で具体的に説明すると、認証サーバ装置は、認証結果問い合わせ要求とともにセッション情報「１２３４５６７８９」を受信した場合に、当該セッション情報「１２３４５６７８９」と利用者認証情報「００−１１−ＦＦ」とが対応付けられてセッション情報ＤＢに記憶されているか否かを判定し、利用者が正当な利用者であるか否かを認証して、認証結果をコンテンツ提供装置に送信する。
【００４９】
この例の場合、セッション情報ＤＢにセッション情報「１２３４５６７８９」と利用者認証情報「００−１１−ＦＦ」とが対応付けられて記憶されていることより、先に利用者候補とした当該利用者を正当な利用者であると認証して、当該認証結果として認証許可応答をコンテンツ提供装置に送信する。一方、受信したセッション情報と利用者認証情報とが対応付けられて記憶されていない場合、認証中や未認証の応答を送信する。なお、送信する認証結果の形式としては、例えば、電子証明書や電子チケットの形式でもよい。
【００５０】
認証許可応答を受信したコンテンツ提供装置は、コンテンツサーバ装置にコンテンツ要求を送信し、コンテンツサーバ装置は、コンテンツをコンテンツ提供装置に送信する（図１の（１０）と（１１）参照）。上記した例で具体的に説明すると、コンテンツ提供装置は、認証許可応答を受信すると、コンテンツサーバ装置にコンテンツ要求を送信する。コンテンツ要求を受信したコンテンツサーバ装置は、コンテンツ要求を送信したコンテンツ提供装置に指定されたコンテンツや記憶するコンテンツ一覧を送信する。なお、コンテンツ提供装置は、認証拒否応答を受信すると、コンテンツサーバ装置にコンテンツ要求を送信することなく、認証が拒否された旨をネットワーク対応ＴＶに送信する。
【００５１】
そして、コンテンツ提供装置は、コンテンツサーバ装置から受信したコンテンツをネットワーク対応ＴＶに送信し、ネットワーク対応ＴＶは、受信したコンテンツを出力する（図１の（１２）と（１３）参照）。上記した例で具体的に説明すると、コンテンツ提供装置は、コンテンツサーバ装置から受信したコンテンツ一覧やＶＯＤなどのコンテンツをネットワーク対応ＴＶに送信し、ネットワーク対応ＴＶは、受信したコンテンツを出力する。
【００５２】
このように、実施例１に係る通信システムは、ＤＬＮＡを利用した動画や静止画などとして認証画面をネットワーク対応ＴＶに出力することができるので、別途、ＰＣなどインターネットブラウザを用いて認証する必要がない結果、上記した主たる特徴のごとく、情報家電でコンテンツを利用するのに際して、利便性の高い利用者認証を行うことが可能である。
【００５３】
［通信システムの構成］
次に、図２を用いて、図１に示した通信システムの構成を説明する。図２は、実施例１に係る通信システムの構成を示すブロック図である。図２に示すように、この通信システムは、宅内ネットワークと、認証サーバ装置２０と、コンテンツサーバ装置３０とから構成される。宅内ネットワークには、コンテンツ提供装置１０と、ＨＤＤと、ネットワーク対応ＴＶと、ＰＣとが接続され、ＨＤＤと、ネットワーク対応ＴＶと、ＰＣとは、一般的な機能を有するので、ここではその詳細な説明は省略し、コンテンツ提供装置１０の構成について説明する。
【００５４】
（コンテンツ提供装置１０の構成）
コンテンツ提供装置１０は、内部ネットワーク通信部１１と、外部ネットワーク通信部１２と、記憶部１３と、制御部１４とから構成される。内部ネットワーク通信部１１は、宅内ネットワーク内のＨＤＤと、ネットワーク対応ＴＶと、ＰＣとの間でやり取りする各種情報に関する通信を制御する。具体的には、内部ネットワーク通信部１１は、ＤＬＮＡで接続されるＨＤＤ、ネットワーク対応ＴＶまたはＰＣからコンテンツ要求を受信したり、コンテンツサーバ装置３０から受信したコンテンツをＨＤＤ、ネットワーク対応ＴＶまたはＰＣに送信したりする。例えば、図６に示したように、ネットワーク対応ＴＶに出力されたコンテンツ一覧から利用者によって「オンライン」が選択されると、ネットワーク対応ＴＶからコンテンツ要求が送信され、内部ネットワーク通信部１１は、当該コンテンツ要求を受信する。なお、図６は、ネットワーク対応ＴＶに出力されるコンテンツ一覧の出力例を示した図である。
【００５５】
外部ネットワーク通信部１２は、インターネットに接続される認証サーバ装置２０やコンテンツサーバ装置３０との間でやり取りする各種情報に関する通信を制御する。具体的には、外部ネットワーク通信部１２は、内部ネットワーク通信部１１によりコンテンツ要求が受信されると、認証サーバ装置２０にセッション情報要求を送信したり、認証サーバ装置２０から認証許可応答を受信すると、コンテンツ要求をコンテンツサーバ装置３０に送信したりする。
【００５６】
記憶部１３は、制御部１４による各種処理に必要なデータおよびプログラムを格納したり、通信を行うためのアドレス情報を格納したりする。例えば、記憶部１３は、認証サーバ装置２０やコンテンツサーバ装置３０と通信を行うためのアドレス情報を記憶したり、コンテンツサーバ装置３０から提供（送信）されたコンテンツを受信したり、内部ネットワーク通信部１１により受信されたコンテンツ要求を一時的に記憶したりする。
【００５７】
制御部１４は、ＯＳ（Operating System）などの制御プログラム、各種の処理手順などを規定したプログラムおよび所要データを格納するための内部メモリを有するとともに、特に本発明に密接に関連するものとしては、セッション情報要求送信部１５と、認証用コンテンツ生成部１６と、認証結果問い合わせ部１７と、コンテンツ送信部１８とを備え、これらによって種々の処理を実行する。
【００５８】
セッション情報要求送信部１５は、ネットワーク対応ＴＶからコンテンツの視聴を要求するコンテンツ要求を受信した場合に、当該コンテンツの視聴に伴う利用者認証に用いられるセッション情報を要求するセッション情報要求を、認証サーバ装置２０に送信する。具体的には、セッション情報要求送信部１５は、ネットワーク対応ＴＶからコンテンツの視聴を要求するコンテンツ要求が内部ネットワーク通信部１１により受信されると、当該コンテンツの視聴に伴う利用者認証に用いられるセッション情報を要求するセッション情報要求を、認証サーバ装置２０に送信する。例えば、図６に示すように、モニタに出力されたコンテンツ画面から「オンライン」が利用者により選択されたネットワーク対応ＴＶは、コンテンツ一覧を要求するコンテンツ要求をコンテンツ提供装置１０に送信し、コンテンツ要求を受信したコンテンツ提供装置１０のセッション情報要求送信部１５は、当該コンテンツの視聴に伴う利用者認証に用いられるセッション情報を要求するセッション情報要求を、認証サーバ装置２０に送信する。なお、受信するコンテンツ要求は、コンテンツ一覧だけでなく、音楽や映画などのコンテンツごとに受信してもよい。また、セッション情報要求送信部１５は、特許請求の範囲に記載の「セッション情報要求送信手段」に対応する。
【００５９】
認証用コンテンツ生成部１６は、認証サーバ装置２０で発行されたセッション情報を受信した場合に、当該セッション情報をネットワーク対応ＴＶで視聴可能なコンテンツとして形成される認証用コンテンツを生成し、ネットワーク対応ＴＶに送信する。具体的に例を挙げれば、認証用コンテンツ生成部１６は、認証サーバ装置２０で発行されたセッション情報「１２３４５６７８９」を受信した場合に、当該セッション情報をネットワーク対応ＴＶで視聴可能なコンテンツとして形成されるＱＲコード（例えば、図７に示すようなＱＲコード）を生成して、ネットワーク対応ＴＶに送信する。なお、ここでは、認証用コンテンツとしてＱＲコードを生成した場合について説明したが、セッション情報そのままを出力したり、動画像コンテンツや音声コンテンツなどのコンテンツとして生成してもよい。また、図７は、認証用コンテンツとして生成されたＱＲコードの例を示す図である。また、認証用コンテンツ生成部１６は、特許請求の範囲に記載の「認証用コンテンツ生成手段」に対応する。
【００６０】
認証結果問い合わせ部１７は、認証用コンテンツ生成部１６により認証用コンテンツがネットワーク対応ＴＶに送信された後に、利用者が正当な利用者であるか否かを示す認証結果を問い合わせる認証結果問い合わせ要求とともに、セッション情報を認証サーバ装置２０に送信する。具体的に例を挙げれば、認証結果問い合わせ部１７は、認証用コンテンツ生成部１６により認証用コンテンツがネットワーク対応ＴＶに送信された後に、利用者が正当な利用者であるか否かを示す認証結果を問い合わせる認証結果問い合わせ要求とともに、セッション情報「１２３４５６７８９」を認証サーバ装置２０に送信する。つまり、利用者Ａが所有する携帯電話が、認証サーバ装置２０に記憶される正当な利用者が所有する携帯電話であるか否かを問い合わせることで、利用者Ａが正当な利用者であるか否かを問い合わせる。なお、認証結果問い合わせ部１７は、特許請求の範囲に記載の「認証結果問い合わせ手段」に対応する。
【００６１】
コンテンツ送信部１８は、コンテンツサーバ装置３０から受信したコンテンツをネットワーク対応ＴＶに送信する。具体的には、後述する認証サーバ装置２０の利用者認証部２８によりネットワーク対応ＴＶが正当な利用者であると認証されて、コンテンツサーバ装置からコンテンツを受信した場合に、コンテンツ送信部１８は、利用者認証が許可されたネットワーク対応ＴＶに受信したコンテンツを送信する。一方、認証が拒否されて、拒否された旨のメッセージなどを受信した場合、当該メッセージをネットワーク対応ＴＶに送信する。
【００６２】
（認証サーバ装置２０の構成）
次に、認証サーバ装置２０の構成について説明する。認証サーバ装置２０は、通信制御Ｉ／Ｆ部２１と、記憶部２２と、制御部２５とから構成される。通信制御Ｉ／Ｆ部２１は、コンテンツ提供装置１０やコンテンツサーバ装置３０との間でやり取りする各種情報に関する通信を制御する。具体的には、通信制御Ｉ／Ｆ部２１は、インターネットを介してコンテンツ提供装置１０からセッション情報要求や認証結果の問い合わせを受信したり、携帯電話から送信された認証要求を受信したりする。
【００６３】
記憶部２２は、制御部２５による各種処理に必要なデータおよびプログラムを格納するとともに、特に本発明に密接に関連するものとしては、利用者認証情報ＤＢ２３と、セッション情報ＤＢ２４とを備える。利用者認証情報ＤＢ２３は、宅内ネットワークの利用者が所有する携帯電話に記憶され、当該利用者の認証に用いられる利用者認証情報を記憶する。具体的に例を挙げると、利用者認証情報ＤＢ２３は、図３に示すように、『利用者を示す「利用者名」、利用者が利用する携帯電話の個体識別番号を示す「個体識別番号」』として「利用者Ａ、００−１１−ＦＦ」などと記憶する。なお、利用者認証情報ＤＢ２３は、特許請求の範囲に記載の「利用者認証情報記憶手段」に対応する。また、図３は、利用者認証情報ＤＢに記憶される情報の例を示す図である。
【００６４】
セッション情報ＤＢ２４は、セッション情報と利用者認証情報とを対応付けて記憶する。例えば、図４に示すように、取得した個体識別番号「００−１１−ＦＦ」とセッション情報「１２３４５６７８９」とを対応付けて記憶する。上記した例で説明すると、コンテンツ提供装置１０からセッション情報要求を受信した場合に、後述するセッション情報一時発行部２６によりセッション情報が発行されるとともに、セッション情報ＤＢ２４に当該セッション情報が格納される。そして、携帯電話からセッション情報を含んだ認証要求を利用者認証情報とともに受信した場合に、セッション情報がセッション情報ＤＢ２４に記憶され、かつ、利用者認証情報が利用者認証情報ＤＢ２３に記憶されているときに限り、後述するセッション情報正規発行部２７によって、利用者認証情報が利用者認証情報ＤＢ２３から取得され、セッション情報に対応付けてセッション情報ＤＢ２４に格納される。なお、セッション情報ＤＢ２４は、特許請求の範囲に記載の「セッション情報記憶手段」に対応する。また、図４は、セッション情報ＤＢに記憶される情報の例を示す図である。
【００６５】
制御部２５は、ＯＳ（Operating System）などの制御プログラム、各種の処理手順などを規定したプログラムおよび所要データを格納するための内部メモリを有するとともに、特に本発明に密接に関連するものとしては、セッション情報一時発行部２６と、セッション情報正規発行部２７と、利用者認証部２８とを備え、これらによって種々の処理を実行する。
【００６６】
セッション情報一時発行部２６は、コンテンツ提供装置１０からからセッション情報要求を受信した場合に、セッション情報を発行してコンテンツ提供装置１０に送信するとともに、セッション情報ＤＢ２４に格納する。具体的に例を挙げると、セッション情報一時発行部２６は、コンテンツ提供装置１０からセッション情報要求を受信した場合に、セッション情報「１２３４５６７８９」を発行してコンテンツ提供装置１０に送信するとともに、当該セッション情報「１２３４５６７８９」をセッション情報ＤＢ２４に格納する。ここでは、利用者認証情報（例えば、識別番号）は格納されない。なお、セッション情報一時発行部２６は、特許請求の範囲に記載の「セッション情報一時発行手段」に対応する。
【００６７】
セッション情報正規発行部２７は、携帯電話からセッション情報を含んだ認証要求を利用者認証情報とともに受信した場合に、セッション情報がセッション情報ＤＢ２４に記憶され、かつ、利用者認証情報が利用者認証情報ＤＢ２３に記憶されているときに限り、利用者認証情報を利用者認証情報ＤＢ２３から取得して、セッション情報に対応付けてセッション情報ＤＢ２４に格納する。上記した例で具体的に説明すると、セッション情報正規発行部２７は、携帯電話からセッション情報「１２３４５６７８９」を含んだ認証要求と個体識別番号「００−１１−ＦＦ」とを受信した場合に、セッション情報「１２３４５６７８９」がセッション情報ＤＢ２４に記憶され、かつ、利用者認証情報「００−１１−ＦＦ」が利用者認証情報ＤＢ２３に記憶されているときに限り、利用者認証情報「００−１１−ＦＦ」を利用者認証情報ＤＢ２３から取得して、セッション情報「１２３４５６７８９」に対応付けてセッション情報ＤＢ２４に格納する。つまり、利用者認証情報ＤＢ２３に記憶される携帯電話から、セッション情報ＤＢ２４に記憶されるセッション情報を受信した場合、セッション情報正規発行部２７は、セッション情報を送信してきた利用者を正当な利用者であると一時的に仮定して（利用者候補）、利用者認証情報とセッション情報を対応付けて、セッション情報ＤＢ２４に格納する。なお、セッション情報正規発行部２７は、特許請求の範囲に記載の「セッション情報正規発行手段」に対応する。
【００６８】
利用者認証部２８は、コンテンツ提供装置１０から認証結果問い合わせ要求とともにセッション情報を受信した場合に、当該セッション情報と利用者認証情報とが対応付けられてセッション情報ＤＢ２４に記憶されているか否かを判定し、利用者が正当な利用者であるか否かを認証する。具体的に説明すると、セッション情報ＤＢ２４に「利用者認証情報（個体識別番号）、セッション情報」として「００−１１−ＦＦ、１２３４５６７８９」が記憶されている場合に、コンテンツ提供装置１０から認証結果問い合わせ要求とともに、セッション情報「１２３４５６７８９」を受信すると、利用者認証部２８は、受信したセッション情報「１２３４５６７８９」と利用者認証情報「００−１１−ＦＦ」とがセッション情報ＤＢ２４に対応付けられて記憶されていることより、利用者Ａを正当な利用者と認証する。つまり、利用者認証部２８は、セッション情報ＤＢ２４にセッション情報「１２３４５６７８９」と利用者認証情報「００−１１−ＦＦ」とが対応付けられて記憶されていることより、先に利用者候補とした当該利用者を正当な利用者であると認証して、当該認証結果として認証許可応答をコンテンツ提供装置１０に送信する。
【００６９】
一方、利用者認証部２８は、受信したセッション情報「１２３４５６７８９」と利用者認証情報「００−１１−ＦＦ」とがセッション情報ＤＢ２４に対応付けられて記憶されていない場合、利用者候補とした利用者Ａを正当な利用者と認証せずに、認証中や未認証の応答を送信する。なお、利用者認証部２８は、特許請求の範囲に記載の「利用者認証手段」に対応する。
【００７０】
（コンテンツサーバ装置３０の構成）
次に、コンテンツサーバ装置３０の構成について説明する。コンテンツサーバ装置３０は、通信制御Ｉ／Ｆ部３１と、記憶部３２と、制御部３４とから構成される。通信制御Ｉ／Ｆ部３１は、コンテンツ提供装置１０や認証サーバ装置２０との間でやり取りする各種情報に関する通信を制御する。具体的には、通信制御Ｉ／Ｆ部３１は、インターネットを介してコンテンツ提供装置１０からコンテンツ要求を受信したり、コンテンツ提供装置１０にコンテンツを送信したりする。
【００７１】
記憶部３２は、制御部３４による各種処理に必要なデータおよびプログラムを格納するとともに、特に本発明に密接に関連するものとしては、コンテンツＤＢ３３を備える。具体的に例を挙げれば、コンテンツＤＢ３３は、図５に示すように、コンテンツサーバ装置３０が提供するコンテンツ一覧として「ＶＯＤ、音楽、漫画」などを記憶する。なお、図５は、コンテンツＤＢに記憶される情報の例を示す図である。
【００７２】
制御部３４は、ＯＳ（Operating System）などの制御プログラム、各種の処理手順などを規定したプログラムおよび所要データを格納するための内部メモリを有するとともに、特に本発明に密接に関連するものとしては、コンテンツ送信部３５を備え、これらによって種々の処理を実行する。
【００７３】
コンテンツ送信部３５は、ネットワーク対応ＴＶにコンテンツを送信する。具体的には、認証サーバ装置２０から認証許可応答を受信したコンテンツ提供装置１０から送信されたコンテンツ要求を受信すると、コンテンツ送信部３５は、コンテンツ要求に対応したコンテンツをコンテンツ提供装置１０送信する。例えば、コンテンツ一覧の取得を要求しているコンテンツ要求の場合、コンテンツ送信部３５は、コンテンツＤＢ３３に記憶されるコンテンツ一覧「ＶＯＤ、音楽、漫画」を送信し、「音楽」コンテンツの取得を要求しているコンテンツ要求の場合、コンテンツ送信部３５は、コンテンツＤＢ３３から「音楽」コンテンツを取得して送信する。
【００７４】
なお、上記では、セッション情報要求送信部１５と、認証用コンテンツ生成部１６と、認証結果問い合わせ部１７とをコンテンツ提供装置１０が備える場合について説明したが、本発明はこれに限定されるものではなく、セッション情報要求送信部１５と、認証用コンテンツ生成部１６と、認証結果問い合わせ部１７とをコンテンツサーバ装置３０が備えていてもよく、コンテンツ提供装置１０とコンテンツサーバ装置３０との両方の装置が備えていてもよい。
【００７５】
［通信システムによる処理］
次に、図８を用いて、通信システムによる処理を説明する。図８は、実施例１に係る通信システムによる処理の流れを示すシーケンス図である。
【００７６】
（通信システムによる処理の流れ）
図８に示すように、コンテンツを要求する指示操作を受け付けたネットワーク対応ＴＶは、コンテンツ提供装置１０にコンテンツ要求を送信する（ステップＳ８０１）。そして、コンテンツ要求を受信したコンテンツ提供装置１０のセッション情報要求送信部１５は、当該コンテンツの視聴に伴う利用者認証に用いられるセッション情報を要求するセッション情報要求を認証サーバ装置２０に送信する（ステップＳ８０２）。
【００７７】
具体的に例を挙げると、利用者によりコンテンツ一覧を要求する「オンライン」の選択を受け付けたネットワーク対応ＴＶは（図６参照）、コンテンツ提供装置１０にコンテンツ要求を送信する。そして、コンテンツ要求を受信したコンテンツ提供装置１０のセッション情報要求送信部１５は、当該コンテンツの視聴に伴う利用者認証に用いられるセッション情報を要求するセッション情報要求を認証サーバ装置２０に送信する。
【００７８】
続いて、セッション情報要求を受信した認証サーバ装置２０のセッション情報一時発行部２６は、セッション情報を発行してコンテンツ提供装置１０に送信するとともに、セッション情報を発行してコンテンツ提供装置１０に送信するとともに、セッション情報ＤＢ２４に格納する（ステップＳ８０３〜ステップＳ８０４）。
【００７９】
具体的に例を挙げると、セッション情報要求を受信した認証サーバ装置２０のセッション情報一時発行部２６は、セッション情報「１２３４５６７８９」を発行してコンテンツ提供装置１０に送信するとともに、セッション情報ＤＢ２４に格納する。
【００８０】
その後、認証サーバ装置２０で発行されたセッション情報を受信した場合に、コンテンツ提供装置１０の認証用コンテンツ生成部１６は、当該セッション情報をネットワーク対応ＴＶで視聴可能なコンテンツとして形成される認証用コンテンツを生成し、ネットワーク対応ＴＶに送信する（ステップＳ８０５〜Ｓ８０６）。具体的に例を挙げると、認証サーバ装置２０で発行されたセッション情報「１２３４５６７８９」を受信した場合に、コンテンツ提供装置１０の認証用コンテンツ生成部１６は、当該セッション情報「１２３４５６７８９」をネットワーク対応ＴＶで視聴可能なコンテンツとして形成されるＱＲコードを生成し、ネットワーク対応ＴＶに送信する。
【００８１】
そして、認証用コンテンツを受信したネットワーク対応ＴＶは、受信した認証用コンテンツをモニタなどに出力し、携帯電話は、認証用コンテンツに出力されているセッション情報が利用者により入力されると、認証要求を認証サーバ装置２０に送信する（ステップＳ８０７〜ステップＳ８０８）。上記した例で具体的に説明すると、ＱＲコードを受信したネットワーク対応ＴＶは、受信した認証用コンテンツをモニタなどに出力し、携帯電話は、このＱＲコードを読み取ると、認証要求と個体識別番号「００−１１−ＦＦ」を認証サーバ装置２０に送信する。
【００８２】
続いて、認証サーバ装置２０のセッション情報正規発行部２７は、携帯電話からセッション情報を含んだ認証要求を利用者認証情報とともに受信した場合に、セッション情報がセッション情報ＤＢ２４に記憶され、かつ、利用者認証情報が利用者認証情報ＤＢ２３に記憶されているときに限り、利用者認証情報を利用者認証情報ＤＢ２３から取得して、セッション情報に対応付けてセッション情報ＤＢ２４に格納して、格納した結果を携帯電話に送信する（ステップＳ８０９〜ステップＳ８１０）。
【００８３】
上記した例で具体的に説明すると、ネットワーク対応ＴＶに出力されたセッション情報「１２３４５６７８９」を含んだ認証要求を利用者認証情報「００−１１−ＦＦ」とともに受信した場合に、セッション情報正規発行部２７は、当該セッション情報「１２３４５６７８９」がセッション情報ＤＢ２４に記憶され、かつ、利用者認証情報「００−１１−ＦＦ」が利用者認証情報ＤＢ２３に記憶されていることより、正当な利用者が所有する携帯電話から認証要求があったと認証し、利用者認証情報「００−１１−ＦＦ」を利用者認証情報ＤＢ２３から取得し、セッション情報「１２３４５６７８９」と利用者認証情報「００−１１−ＦＦ」とを対応付けてセッション情報ＤＢ２４に格納して、その結果を携帯電話に送信する。なお、ステップＳ８１０の処理である認証結果の送信処理は、必須の処理ではない。
【００８４】
その後、コンテンツ提供装置１０の認証結果問い合わせ部１７は、利用者が正当な利用者であるか否かを示す認証結果を問い合わせる認証結果問い合わせ要求とともに、セッション情報を認証サーバ装置２０に送信し（ステップＳ８１１）、認証サーバ装置２０の利用者認証部２８は、セッション情報と利用者認証情報とが対応付けられてセッション情報ＤＢ２４に記憶されているか否かを判定し、利用者が正当な利用者であるか否かを認証する認証結果を応答する（ステップＳ８１２）。
【００８５】
上記した例で具体的に説明すると、コンテンツ提供装置１０から認証結果問い合わせ要求とともに、セッション情報「１２３４５６７８９」を受信した認証サーバ装置２０は、セッション情報「１２３４５６７８９」と利用者認証情報「００−１１−ＦＦ」とが対応付けられてセッション情報ＤＢ２４に記憶されていることより、認証結果として認証許可を応答する。
【００８６】
そして、認証結果を受信したコンテンツ提供装置１０は、コンテンツ要求をコンテンツサーバ装置３０に送信し、コンテンツサーバ装置３０は、コンテンツを送信し、コンテンツを受信したコンテンツ提供装置１０のコンテンツ送信部１８は、コンテンツをネットワーク対応ＴＶに送信する（ステップＳ８１３〜ステップＳ８１５）。上記した例で具体的に説明すると、認証許可を受信したコンテンツ提供装置１０は、ステップＳ８０１で受け付けたコンテンツ一覧を要求するコンテンツ要求をコンテンツサーバ装置３０に送信する。コンテンツ要求を受信したコンテンツサーバ装置３０は、コンテンツＤＢ３３に記憶するコンテンツ一覧「ＶＯＤ、音楽、漫画」をコンテンツ提供装置１０に送信する。そして、コンテンツ提供装置１０のコンテンツ送信部１８は、受信したコンテンツ一覧をネットワーク対応ＴＶに送信する。
【００８７】
（コンテンツ提供装置による処理の流れ）
図９を用いて、コンテンツ提供装置による処理の流れを説明する。図９は、実施例１に係るコンテンツ提供装置による処理の流れを示すフローチャートである。
【００８８】
図９に示すように、コンテンツ要求を受信すると（ステップ９０１肯定）、コンテンツ提供装置１０は、既存セッションでないか否かを判定する（ステップＳ９０２）。
【００８９】
そして、既存セッションでない場合（ステップＳ９０２肯定）、セッション情報要求送信部１５は、当該コンテンツの視聴に伴う利用者認証に用いられるセッション情報を要求するセッション情報要求を、認証サーバ装置２０に送信する（ステップＳ９０３）。
【００９０】
その後、認証サーバ装置２０からセッション情報を受信すると（ステップＳ９０４肯定）、認証用コンテンツ生成部１６は、認証サーバ装置２０で発行されたセッション情報を受信した場合に、当該セッション情報をネットワーク対応ＴＶで視聴可能なコンテンツとして形成される認証用コンテンツを生成し、ネットワーク対応ＴＶに送信する（ステップＳ９０５）。
【００９１】
そして、所定の条件により（例えば、一定時間経過後や認証終了通知受信後など）、認証結果問い合わせ部１７は、認証サーバ装置２０に認証結果を問い合わせる（ステップＳ９０６）。続いて、認証結果を受信すると（ステップＳ９０７肯定）、コンテンツ提供装置１０は、受信した認証結果が認証許可であるか否かを判定する（ステップＳ９０８）。
【００９２】
受信した認証結果が認証許可であった場合（ステップＳ９０８肯定）、コンテンツ提供装置１０は、コンテンツサーバ装置３０にコンテンツ要求を送信し（ステップＳ９０９）、コンテンツを受信すると（ステップＳ９１０肯定）、受信したコンテンツをネットワーク対応ＴＶに送信する（ステップＳ９１１）。一方、受信した認証結果が認証許可でなかった場合（ステップＳ９０８否定）、コンテンツ提供装置１０は、処理を終了する。
【００９３】
ステップＳ９０２に戻り、既存セッションであった場合（ステップＳ９０２否定）、ステップＳ９０９の処理であるコンテンツ要求送信処理を実行する。以降の処理は、上記した例と同様である。
【００９４】
（認証サーバ装置による処理の流れ）
図１０を用いて、認証サーバ装置による処理の流れを説明する。図１０は、実施例１に係る認証サーバ装置による処理の流れを示すフローチャートである。
【００９５】
図１０に示すように、コンテンツ提供装置１０からセッション情報要求を受信すると（ステップＳ１００１肯定）、セッション情報一時発行部２６は、セッション情報を発行してコンテンツ提供装置１０に送信するとともに、セッション情報ＤＢ２４に格納する（ステップＳ１００２）。
【００９６】
その後、セッション情報正規発行部２７は、携帯電話から、コンテンツ提供装置１０に出力されたセッション情報を含んだ認証要求を利用者認証情報とともに受信した場合に（ステップＳ１００３肯定）、セッション情報がセッション情報ＤＢ２４に記憶され、かつ、利用者認証情報が利用者認証情報ＤＢ２３に記憶されているときに限り、利用者認証情報を利用者認証情報ＤＢ２３から取得して、セッション情報に対応付けてセッション情報ＤＢ２４に格納することで認証処理を行う（ステップＳ１００４）。ここで、利用者認証部２８は、認証結果を携帯電話に送信するようにしてもよい。
【００９７】
そして、コンテンツ提供装置１０から認証結果の問い合わせを受信すると（ステップＳ１００５肯定）、認証結果が認証許可であった場合（ステップＳ１００６肯定）、利用者認証部２８は、認証許可応答をコンテンツ提供装置１０に送信し（ステップＳ１００７）、認証結果が認証拒否であった場合（ステップＳ１００６否定）、利用者認証部２８は、認証拒否または未認証をコンテンツ提供装置１０に送信する（ステップＳ１００８）。
【００９８】
（ネットワーク対応ＴＶによる処理の流れ）
図１１を用いて、ネットワーク対応ＴＶによる処理の流れを説明する。図１１は、実施例１に係るネットワーク対応ＴＶによる処理の流れを示すフローチャートである。
【００９９】
図１１に示すように、利用者によりコンテンツ一覧から「オンライン」の選択を受け付けると（ステップＳ１１０１肯定）、ネットワーク対応ＴＶは、コンテンツ提供装置１０にコンテンツ要求を送信する（ステップＳ１１０２）。なお、「オンライン」とは、あくまで一例であり、「インターネット」や「音楽（インターネット）」など、コンテンツの表示を限定するものではない。
【０１００】
そして、認証用コンテンツを受信すると（ステップＳ１１０３肯定）、ネットワーク対応ＴＶは、受信した認証用コンテンツをモニタなどに出力する（ステップＳ１１０４）。
【０１０１】
その後、ネットワーク対応ＴＶは、認証サーバ装置２０に認証許可されてコンテンツサーバ装置３０からコンテンツ提供装置１０を介してコンテンツを受信すると（ステップＳ１１０５肯定）、受信したコンテンツを視聴できるようにモニタなどに出力する（ステップＳ１１０６）。
【０１０２】
［実施例１による効果］
このように、実施例１に係る通信システムによれば、コンテンツ提供装置１０は、ネットワーク対応ＴＶからコンテンツの視聴を要求するコンテンツ要求を受信した場合に、当該コンテンツの視聴に伴う利用者認証に用いられるセッション情報を要求するセッション情報要求を、認証サーバ装置２０に送信し、認証サーバ装置２０で発行されたセッション情報を受信した場合に、当該セッション情報をネットワーク対応ＴＶで視聴可能なコンテンツとして形成される認証用コンテンツを生成し、ネットワーク対応ＴＶに送信し、認証用コンテンツがネットワーク対応ＴＶに送信された後に、利用者が正当な利用者であるか否かを示す認証結果を問い合わせる認証結果問い合わせ要求とともに、セッション情報を認証サーバ装置２０に送信し、認証サーバ装置２０は、利用者を一意に識別する利用者認証情報に対応付けて、当該宅内ネットワークの利用者が所有する携帯電話に記憶され、当該利用者の認証に用いられる利用者認証情報を記憶する利用者認証情報ＤＢと、コンテンツ提供装置１０からセッション情報要求を受信した場合に、セッション情報を発行してコンテンツ提供装置１０に送信するとともに、所定のセッション情報ＤＢに格納し、利用者端末からセッション情報を含んだ認証要求を利用者認証情報とともに受信した場合に、セッション情報がセッション情報ＤＢに記憶され、かつ、利用者認証情報が利用者認証情報ＤＢに記憶されているときに限り、利用者認証情報を利用者認証情報ＤＢから取得して、セッション情報に対応付けてセッション情報ＤＢに格納し、コンテンツ提供装置１０から、認証結果問い合わせ要求とともにセッション情報を受信した場合に、当該セッション情報と利用者認証情報とが対応付けられてセッション情報ＤＢに記憶されているか否かを判定し、利用者が正当な利用者であるか否かを認証するので、情報家電でコンテンツを利用するのに際して、利便性の高い利用者認証を行うことが可能である。
【０１０３】
例えば、ＤＬＮＡを利用した動画や静止画などとして認証画面をネットワーク対応ＴＶに出力することができるので、別途、ＰＣなどインターネットブラウザを用いて認証する必要がない結果、利便性の高い利用者認証を行うことが可能である。また、携帯電話などの個人端末装置を用いて認証するので、強固な認証を行うことが可能である。
【０１０４】
（通信システムによる処理の流れ（別シーケンス））
ところで、上記した通信システムによる処理の流れ（図８参照）では、コンテンツ提供装置１０が認証サーバ装置２０にセッション情報要求を送信する場合について説明したが、本発明はこれに限定されるものではなく、コンテンツサーバ装置３０がセッション情報要求を送信してもよい。
【０１０５】
まず、図１２を用いて、処理の流れを説明する前に、図８とは異なる点について簡単に説明すると、コンテンツサーバ装置３０が認証サーバ装置２０に対してセッション情報要求を送信し、生成されたセッション情報を受信し、受信したセッション情報をコンテンツ提供装置１０に送信する。その後、図８と同様に、認証サーバ装置２０により認証処理が行われる。そして、図８とは異なり、コンテンツサーバ装置３０が認証サーバ装置２０に対して認証結果を問い合わせて、認証結果を受信し、受信した認証結果をコンテンツ提供装置１０に送信する。その後、図８と同様に、コンテンツ提供装置１０からコンテンツ要求を受信したコンテンツサーバ装置３０がコンテンツを送信し、当該コンテンツがネットワーク対応ＴＶに受信されて視聴される。
【０１０６】
次に、図１２を用いて、コンテンツサーバ装置３０がセッション情報要求を送信する場合について説明する。図１２は、通信システムによる処理の流れを示すシーケンス図である。なお、以下では、図８と異なる処理の流れについて説明し、図８と同様の処理の流れになるところは省略する。
【０１０７】
図１２に示すように、コンテンツを要求する指示操作を受け付けたネットワーク対応ＴＶは、コンテンツ提供装置１０にコンテンツ要求を送信する（ステップＳ１２０１）。
【０１０８】
この後、図８とは異なり、コンテンツ要求を受信したコンテンツ提供装置１０は、当該コンテンツの視聴に伴う利用者認証に用いられるセッション情報を要求するセッション情報要求をコンテンツサーバ装置３０に送信する（ステップＳ１２０２）。
【０１０９】
そして、コンテンツサーバ装置３０は、受信したセッション情報要求を認証サーバ装置２０に送信する（ステップＳ１２０３）。続いて、セッション情報要求を受信した認証サーバ装置２０は、セッション情報を発行してコンテンツ提供装置１０に送信するとともに、セッション情報ＤＢ２４に格納する（ステップＳ１２０４〜ステップＳ１２０５）。
【０１１０】
続いて、セッション情報を受信したコンテンツサーバ装置３０は、受信したセッション情報をコンテンツ提供装置１０に送信する（ステップＳ１２０６）。
【０１１１】
そして、図８と同様に、認証サーバ装置２０で発行されたセッション情報を受信した場合に、コンテンツ提供装置１０の認証用コンテンツ生成部１６は、当該セッション情報をネットワーク対応ＴＶで視聴可能なコンテンツとして形成される認証用コンテンツを生成してネットワーク対応ＴＶに送信し、認証用コンテンツを受信したネットワーク対応ＴＶは、受信した認証用コンテンツをモニタなどに出力し、携帯電話は、利用者により認証用コンテンツに出力されているセッション情報が入力されると、認証要求を認証サーバ装置２０に送信する（ステップＳ１２０８〜ステップＳ１２１２）。
【０１１２】
その後、コンテンツ提供装置１０は、コンテンツサーバ装置３０に認証結果の問い合わせを送信し、問い合わせを受信したコンテンツサーバ装置３０は、図８と同様の手法で認証を行い、認証結果を認証サーバ装置２０に送信する（ステップＳ１２１３〜ステップＳ１２１４）。
【０１１３】
続いて、認証サーバ装置２０は、コンテンツサーバ装置３０に認証結果を送信し、認証結果を受信したコンテンツサーバ装置３０は、当該認証結果をコンテンツ提供装置１０に送信する（ステップＳ１２１５〜ステップＳ１２１６）。
【０１１４】
そして、図８と同様に、認証結果を受信したコンテンツ提供装置１０は、コンテンツ要求をコンテンツサーバ装置３０に送信し、コンテンツサーバ装置３０は、コンテンツを送信し、コンテンツを受信したコンテンツ提供装置１０は、コンテンツをネットワーク対応ＴＶに送信する（ステップＳ１２１７〜ステップＳ１２１９）。
【実施例２】
【０１１５】
さて、上記した実施例１では、コンテンツ提供装置が認証用コンテンツを生成する場合について説明したが、本発明はこれに限定されるものではなく、コンテンツサーバ装置が認証用コンテンツを生成してもよい。
【０１１６】
そこで、実施例２では、図１３を用いて、コンテンツサーバ装置が認証用コンテンツを生成する場合について説明する。図１３は、実施例２に係る通信システムの処理の流れを示すシーケンス図である。なお、実施例２では、実施例２に係る通信システムによる処理の手順、実施例２の効果を順に説明する。
【０１１７】
［通信システムによる処理の流れ（実施例２）］
図１３に示すように、コンテンツサーバ装置がセッション情報要求を受信して、セッション情報要求を認証サーバ装置に送信するまでの処理の流れは（ステップＳ１３０１〜ステップＳ１３０５）、図１２で説明したステップＳ１２０１〜ステップＳ１２０５までと同様の処理であるので、ここでは、その詳細な説明は省略する。
【０１１８】
その後、セッション情報を受信したコンテンツサーバ装置は、当該セッション情報をネットワーク対応ＴＶで視聴可能なコンテンツとして形成される認証用コンテンツを生成し、コンテンツ提供装置に送信する（ステップＳ１３０６とステップＳ１３０７）。
【０１１９】
続いて、認証用コンテンツを受信したコンテンツ提供装置は、受信した認証用コンテンツをネットワーク対応ＴＶに送信し、ネットワーク対応ＴＶは、受信した認証用コンテンツをモニタなどに出力し、携帯電話は、認証用コンテンツに出力されているセッション情報が利用者により入力されると、認証要求を認証サーバ装置に送信する（ステップＳ１３０８〜ステップＳ１３１０）。
【０１２０】
そして、認証サーバ装置は、携帯電話からネットワーク対応ＴＶに出力されたセッション情報を含んだ認証要求を利用者認証情報とともに受信した場合に、セッション情報がセッション情報ＤＢに記憶され、かつ、利用者認証情報が利用者認証情報ＤＢに記憶されているときに限り、利用者認証情報を利用者認証情報ＤＢから取得して、セッション情報に対応付けてセッション情報ＤＢに格納して、その結果を携帯電話に送信する（ステップＳ１３１１〜ステップＳ１３１２）。
【０１２１】
その後、コンテンツ提供装置は、コンテンツサーバ装置にコンテンツ要求を送信する（ステップＳ１３１３）。なお、このステップＳ１３１３の処理は、セッションが継続されている場合は、省略することができる。
【０１２２】
続いて、コンテンツサーバ装置は、利用者が正当な利用者であるか否かを示す認証結果を問い合わせる認証結果問い合わせ要求とともに、セッション情報を認証サーバ装置に送信して、認証結果として認証許可を受信し、コンテンツをコンテンツ提供装置に送信する（ステップＳ１３１４〜ステップＳ１３１６）。その後、コンテンツ提供装置は、受信したコンテンツをネットワーク対応ＴＶに送信する（ステップＳ１３１７）。なお、認証結果として認証拒否を受信した場合、コンテンツサーバ装置は、コンテンツをコンテンツ提供装置に送信しない。
【０１２３】
（コンテンツサーバ装置による処理の流れ（実施例２））
次に、図１４を用いて、実施例１とは異なる処理の流れとなるコンテンツサーバ装置による処理の流れを説明する。図１４は、実施例２に係るコンテンツサーバ装置による処理の流れを示すフローチャートである。
【０１２４】
図１４に示すように、コンテンツ提供装置からコンテンツ要求を受信すると（ステップＳ１４０１肯定）、コンテンツサーバ装置は、認証サーバ装置にセッション情報要求を送信する（ステップＳ１４０２）。
【０１２５】
その後、認証サーバ装置からセッション情報を受信すると（ステップＳ１４０３肯定）、コンテンツサーバ装置は、当該セッション情報をネットワーク対応ＴＶで視聴可能なコンテンツとして形成される認証用コンテンツを生成し、コンテンツ提供装置に送信する（ステップＳ１４０４）。
【０１２６】
そして、所定の条件により（例えば、一定時間経過後や認証終了通知受信後など）コンテンツサーバ装置は、認証結果を問い合わせる認証結果問い合わせ要求とともに、セッション情報を認証サーバ装置に送信する（ステップＳ１４０５）。続いて、認証結果を受信すると（ステップＳ１４０６肯定）、コンテンツサーバ装置は、受信した認証結果が認証許可であるか否かを判定する（ステップＳ１４０７）。
【０１２７】
認証許可であった場合（ステップＳ１４０７肯定）、コンテンツサーバ装置は、コンテンツ提供装置にコンテンツを送信する（ステップＳ１４０８）。一方、認証許可でなかった場合（ステップＳ１４０７否定）、コンテンツサーバ装置は、処理を終了する。
【０１２８】
［実施例２による効果］
このように、実施例２に係る通信システムによれば、コンテンツ提供装置の処理負荷を軽減することが可能である。例えば、宅内ネットワークの複数の端末装置からコンテンツ提供装置にコンテンツ要求が送信された場合、コンテンツ提供装置がコンテンツサーバ装置により生成された認証用コンテンツを受信して出力する結果、コンテンツ提供装置が認証用コンテンツを生成して出力する場合に比べて、コンテンツ提供装置の処理負荷を軽減することが可能である。
【実施例３】
【０１２９】
さて、上記した実施例１と２では、コンテンツサーバ装置は、ＶＯＤなどのコンテンツを提供する場合について説明したが、本発明はこれに限定されるものではなく、コンテンツサーバ装置は、暗号化されたコンテンツを提供するようにしてもよい。
【０１３０】
そこで、実施例３では、図１５〜図１７を用いて、コンテンツサーバ装置は、暗号化されたコンテンツを提供する場合について説明する。図１５は、実施例３に係る認証サーバ装置に記憶される情報の例を示す図であり、図１６は、実施例３に係る通信システムの処理の流れを示すシーケンス図であり、図１７は、実施例３に係るコンテンツ提供装置の処理の流れを示すフローチャートである。なお、実施例３では、実施例３に係る通信システムによる処理の手順、実施例３の効果を順に説明する。
【０１３１】
ところで、実施例１〜２と異なる点について先に説明しておくと、通信システムの構成は、実施例１と２と同様であり、装置それぞれの構成も同様である。ただし、認証サーバ装置は、利用者認証情報ＤＢとセッション情報ＤＢに加え、図１５に示したように、『コンテンツサーバ装置が提供する「コンテンツ一覧」、コンテンツを復号する「復号鍵」』として「ＶＯＤ、鍵Ａ」や「スクランブル放送、鍵Ｃ」などと記憶する。なお、この情報は、コンテンツサーバ装置が記憶しておき、コンテンツサーバ装置が認証サーバ装置にこの鍵情報を送信するようにしてもよい。
【０１３２】
［通信システムによる処理の流れ（実施例３）］
図１６に示すように、ネットワーク対応ＴＶがコンテンツ要求を送信して、認証サーバ装置が携帯電話に認証結果を送信するまでの処理の流れは（ステップＳ１６０１〜ステップＳ１６１０）、図８で説明したステップＳ８０１〜ステップＳ８１０までと同様の処理であるので、ここでは、その詳細な説明は省略する。
【０１３３】
その後、所定の条件により（例えば、一定時間経過後や認証終了通知受信後など）コンテンツ提供装置は、認証結果を問い合わせる認証結果問い合わせ要求とともに、セッション情報を認証サーバ装置に送信する（ステップＳ１６１１）。そして、認証結果が認証許可であった場合、認証サーバ装置は、認証結果と当該コンテンツを復号する復号鍵とをコンテンツ提供装置に送信する（ステップＳ１６１２）。なお、認証結果が認証拒否であった場合には、認証サーバ装置は、認証結果として認証拒否のみをコンテンツ提供装置に送信する。
【０１３４】
そして、認証サーバ装置は、コンテンツサーバ装置がコンテンツを送信する契機などを通知するために必要に応じて認証結果をコンテンツサーバ装置に送信する（ステップＳ１６１３）。その後、コンテンツサーバ装置は、コンテンツ提供装置にコンテンツを送信する（ステップＳ１６１４）。
【０１３５】
続いて、コンテンツを受信したコンテンツ提供装置は、受信した復号鍵で受信したコンテンツを復号する復号処理を実施する（ステップＳ１６１５）。そして、コンテンツ提供装置は、復号したコンテンツをネットワーク対応ＴＶに送信する（ステップＳ１６１６）。
【０１３６】
（コンテンツ提供装置よる処理の流れ（実施例３））
次に、図１７を用いて、実施例１とは異なる処理の流れとなるコンテンツ提供装置による処理の流れを説明する。
【０１３７】
図１７に示すように、ネットワーク対応ＴＶからコンテンツ要求を受信すると（ステップＳ１７０１肯定）、コンテンツ提供装置は、既存セッションでないか否かを判定する（ステップＳ１７０２）。
【０１３８】
そして、既存セッションでない場合（ステップＳ１７０２肯定）、コンテンツ提供装置は、当該コンテンツの視聴に伴う利用者認証に用いられるセッション情報を要求するセッション情報要求を、認証サーバ装置に送信する（ステップＳ１７０３）。
【０１３９】
その後、コンテンツ提供装置は、認証サーバ装置で発行されたセッション情報を受信した場合に（ステップＳ１７０４肯定）、当該セッション情報をネットワーク対応ＴＶで視聴可能なコンテンツとして形成される認証用コンテンツを生成し、ネットワーク対応ＴＶに送信する（ステップＳ１７０５）。
【０１４０】
そして、所定の条件により（例えば、一定時間経過後や認証終了通知受信後など）、コンテンツ提供装置は、認証結果を問い合わせる認証結果問い合わせ要求とともに、セッション情報を認証サーバ装置に送信する（ステップＳ１７０６）。続いて、認証結果と復号鍵を受信すると（ステップＳ１７０７肯定）、コンテンツ提供装置は、受信した認証結果が認証許可であるか否かを判定する（ステップＳ１７０８）。
【０１４１】
認証許可であった場合（ステップＳ１７０８肯定）、コンテンツ提供装置は、コンテンツサーバ装置にコンテンツ要求を送信し（ステップＳ１７０９）、コンテンツを受信する（ステップＳ１７１０）。そして、コンテンツ提供装置は、受信したコンテンツを受信した復号鍵で復号し、復号したコンテンツをネットワーク対応ＴＶに送信する（ステップＳ１７１１）。一方、認証許可でなかった場合（ステップＳ１７０８否定）、コンテンツ提供装置は、処理を終了する。
【０１４２】
ステップＳ１７０２に戻り、既存セッションであった場合（ステップＳ１７０２否定）、ステップＳ１７０９の処理であるコンテンツ要求送信処理を実行する。以降の処理は、上記した例と同様である。
【０１４３】
［実施例３による効果］
このように、実施例３に係る通信システムによれば、コンテンツサーバ装置は、暗号化されたコンテンツをコンテンツ提供装置に送信するものであって、利用者が正当な利用者であると認証された場合に、コンテンツを復号する復号鍵をコンテンツ提供装置に送信するので、契約者だけがコンテンツを視聴するようにすることが可能である。
【０１４４】
例えば、スクランブル放送のように、料金を払う契約者だけが受信できるようにコンテンツサーバ装置（例えば、放送事業者）側で放送に電波を乱す暗号をかけて送信し、契約者だけが復号鍵を受信して当該放送を視聴するようにすることが可能である。また、これに伴い、課金などを行うことも可能である。
【実施例４】
【０１４５】
さて、上記した実施例１〜３では、宅内ネットワークのコンテンツ提供装置を認証することで、コンテンツを提供する場合について説明したが、本発明はこれに限定されるものではなく、宅内ネットワークの各装置ごとに認証してコンテンツを提供するようにしてもよい。
【０１４６】
そこで、実施例４では、図１８〜図２０を用いて、宅内ネットワークの各装置ごとに認証してコンテンツを提供する場合について説明する。図１８と図１９は、実施例４に係る通信システムの全体構成を示す図であり、図２０は、セッション情報ＤＢに記憶される情報の例を示す図である。
【０１４７】
図１８に示したように、実施例１（図１参照）と同様、この通信システムは、宅内ネットワークと、認証サーバ装置と、コンテンツサーバ装置とがインターネットを介して相互に通信可能に接続されて構成される。宅内ネットワークは、コンテンツ提供装置と、ネットワーク対応ＴＶと、ＰＣと、ＨＤＤとがＤＬＮＡを用いて相互に通信可能に接続されて構成される。そして、携帯電話は、個体識別番号として「００−１１−ＦＦ」を記憶しており、利用者Ａにより所持されている。また、コンテンツサーバ装置は、提供するコンテンツ一覧として、「ＶＯＤ、音楽、漫画」などを記憶する。
【０１４８】
また、実施例１と同様に、認証サーバ装置は、宅内ネットワークの利用者が所有する利用者端末に記憶され、当該利用者の認証に用いられる利用者認証情報を利用者認証情報ＤＢに「利用者Ａ、００−１１−ＦＦ」などと記憶する。
【０１４９】
実施例１と異なる点は、宅内ネットワークに接続される各装置には、識別番号（ＩＤ）が記憶されている。具体的には、コンテンツ提供装置には「ＩＤ＝００」、ネットワーク対応ＴＶには「ＩＤ＝０１」、ＰＣには「ＩＤ＝０２」、ＨＤＤには「ＩＤ＝０３」が記憶されている。また、認証サーバ装置のセッション情報ＤＢは、図２０に示すように、利用者認証情報とセッション情報と識別番号を「個体識別番号、セッション情報、ＩＤ」として「００−１１−ＦＦ、１２３４５６７８９、０１」などと記憶する。
【０１５０】
このような構成のもと、ネットワーク対応ＴＶは、コンテンツ要求とともに、宅内ネットワークに接続される宅内端末装置に一意に割り当てられた識別番号（ＩＤ）をコンテンツ提供装置に送信する（図１８の（１）参照）。具体的に例を挙げると、ネットワーク対応ＴＶは、コンテンツ要求とともに、記憶する識別番号（ＩＤ＝０１）をコンテンツ提供装置に送信する。なお、宅内端末装置に一意に割り当てられた識別番号（ＩＤ）とは、宅内端末装置の製品製造番号など、あらかじめ装置内に保持されている一意の番号でもよい。また、その製造番号を基に、コンテンツ提供装置内で割り当てる別のＩＤとリンクさせて管理してもよい。
【０１５１】
そして、コンテンツ提供装置は、ネットワーク対応ＴＶからコンテンツ要求と識別番号とを受信した場合に、セッション情報要求と識別番号とを、認証サーバ装置に送信する（図１８の（２）参照）。上記した例で具体的に説明すると、コンテンツ提供装置は、ネットワーク対応ＴＶからコンテンツ要求と識別番号（ＩＤ＝０１）とを受信した場合に、セッション情報要求と識別番号（ＩＤ＝０１）とを、認証サーバ装置に送信する。
【０１５２】
続いて、認証サーバ装置は、コンテンツ提供装置からセッション情報要求と識別番号を受信した場合に、当該識別番号を記憶する携帯電話の個体識別番号に対応付けられたセッション情報がセッション情報ＤＢに記憶されているときは、認証許可を示す認証結果をコンテンツ提供装置に送信し、個体識別番号に対応付けられたセッション情報がセッション情報ＤＢに記憶されていないときは、セッション情報を発行してコンテンツ提供装置に送信するとともに、セッション情報と識別番号とを対応付けてセッション情報ＤＢに格納する（図１８の（３）参照）。
【０１５３】
上記した例で具体的に説明すると、認証サーバ装置は、ネットワーク対応ＴＶから送信された識別番号（ＩＤ＝０１）に対応付けられたセッション情報がセッション情報ＤＢに記憶されていないので、セッション情報（１２３４５６７８９）を発行してコンテンツ提供装置に送信するとともに、セッション情報（１２３４５６７８９）と識別番号と（ＩＤ＝０１）を対応付けてセッション情報ＤＢに格納する。
【０１５４】
その後、認証サーバ装置がセッション情報を生成してコンテンツ提供装置に送信し、コンテンツ提供装置が認証用コンテンツを生成してネットワーク対応ＴＶに送信し、携帯電話から認証要求を受け付けた認証サーバ装置が利用者認証を行って、認証結果によりコンテンツサーバ装置がネットワーク対応ＴＶにコンテンツを提供するまでの処理の流れは（図１８の（４）〜（１３））、実施例１と同様であるので、ここではその詳細な説明は省略する。
【０１５５】
このようにして、コンテンツを提供されたネットワーク対応ＴＶからコンテンツ要求が再び送信された場合、認証サーバ装置は、コンテンツ提供装置から受信したセッション情報要求と識別番号とがセッション情報ＤＢに記憶されていることより、認証許可を示す認証結果をコンテンツ提供装置に送信し、コンテンツ提供装置は、コンテンツ要求をコンテンツサーバ装置に送信し、コンテンツサーバ装置は、当該要求されているコンテンツをコンテンツ提供装置に送信する。
【０１５６】
図１９を用いて具体的に説明すると、一度認証許可されたネットワーク対応ＴＶは、再びコンテンツ要求と識別番号（ＩＤ＝０１）をコンテンツ提供装置に送信する（図１９の（１）参照）。続いて、コンテンツ提供装置は、セッション情報要求と識別番号（ＩＤ＝０１）とを、認証サーバ装置に送信する（図１９の（２）参照）。
【０１５７】
そして、認証サーバ装置は、コンテンツ提供装置からセッション情報要求と識別番号を受信した場合に、当該識別番号を記憶する携帯電話の個体識別番号に対応付けられたセッション情報がセッション情報ＤＢに記憶されていることより、認証許可を示す認証結果をコンテンツ提供装置に送信する（図１９の（３）参照）。
【０１５８】
認証結果を受信したコンテンツ提供装置は、当該コンテンツを要求するコンテンツ要求をコンテンツサーバ装置に送信する（図１９の（４）参照）。そして、コンテンツ要求を受信したコンテンツサーバ装置は、当該コンテンツをコンテンツ提供装置に送信する（図１９の（５）参照）。その後、コンテンツを受信したコンテンツ提供装置は、受信したコンテンツを要求元であるネットワーク対応ＴＶに送信する（図１９の（６）参照）。このようにして、一度認証されているネットワーク対応ＴＶは、要求したコンテンツを出力する（図１９の（７）参照）。
【０１５９】
一方、一度も認証されていないＰＣ（ＩＤ＝０２）などがコンテンツ要求を送信した場合、図１８に示したように、認証サーバ装置により認証処理が行われて、認証許可と判定されると、コンテンツを受信することができる。
【０１６０】
このように、実施例４に係る通信システムによれば、ネットワーク対応ＴＶは、コンテンツ要求とともに、宅内ネットワークに接続される宅内端末装置に一意に割り当てられた識別番号を送信し、ネットワーク対応ＴＶからコンテンツ要求と識別番号とを受信した場合に、セッション情報要求と識別番号とを、認証サーバ装置に送信し、セッション情報と利用者認証情報と識別番号とを記憶するものであって、コンテンツサーバ装置からセッション情報要求と識別番号を受信した場合に、識別番号に対応付けられたセッション情報がセッション情報ＤＢに記憶されているときは、認証許可を示す認証結果をコンテンツサーバ装置に送信し、識別番号に対応付けられたセッション情報がセッション情報ＤＢに記憶されていないときは、セッション情報を発行してコンテンツサーバ装置に送信するとともに、セッション情報と識別番号とを対応付けてセッション情報ＤＢに格納し、利用者端末からセッション情報を含んだ認証要求を利用者認証情報と識別番号とともに受信した場合に、セッション情報と識別番号とがセッション情報ＤＢに記憶され、かつ、利用者認証情報が利用者認証情報ＤＢに記憶されているときに限り、利用者認証情報を利用者認証情報ＤＢから取得して、セッション情報に対応付けてセッション情報ＤＢに格納し、コンテンツサーバ装置から、認証結果問い合わせ要求とともにセッション情報を受信した場合に、当該セッション情報と利用者認証情報と識別番号が対応付けられてセッション情報ＤＢに記憶されているか否かを判定し、利用者が正当な利用者であるか否かを認証するので、宅内ネットワークに接続される宅内端末装置（情報家電）ごとに、認証することができる結果、より強固な認証を行うことが可能である。
【０１６１】
例えば、はじめに、宅内ネットワークに接続されるネットワーク対応ＴＶがコンテンツ要求を送信して認証されてコンテンツが提供され、次に、ＨＤＤがコンテンツ要求を送信すると、ＨＤＤがすでに認証されていると判定されてコンテンツを提供されることが起こりうるが、ネットワーク対応ＴＶの識別番号を「０１」、ＨＤＤの識別番号を「０２」として、はじめに「０１」のネットワーク対応ＴＶからコンテンツ要求を受信して認証しコンテンツが提供されると、次に「０２」のＨＤＤがコンテンツ要求を送信しても認証されていると判定されることがなく、ＨＤＤもネットワーク対応ＴＶと同様に認証されることが必要である結果、より強固な認証を行うことが可能である。
【０１６２】
また、実施例４では、認証サーバ装置が識別番号を記憶しておく場合について説明したが、本発明はこれに限定されるものではなく、コンテンツ提供装置が識別番号を記憶しておいてもよい。具体的には、コンテンツ提供装置がコンテンツ要求を送信した宅内端末装置を記憶しておき、認証サーバ装置に認証されると、当該コンテンツ要求を送信した宅内端末装置に対してのみ、コンテンツを提供する。
【０１６３】
このようにすることで、コンテンツ提供装置は、コンテンツ要求を送信した宅内端末装置に一意に割り当てられた識別番号と、コンテンツ要求を送信した宅内端末装置に対して発行されたセッション情報とを対応付けて記憶し、コンテンツサーバ装置から当該セッション情報と対応付けられたコンテンツが送信された場合に、当該セッション情報に対応付けられて記憶される識別番号を取得し、識別番号が割り振られた宅内端末装置にのみ、当該コンテンツを送信するので、宅内ネットワークに接続される認証された宅内端末装置（情報家電）のみにコンテンツを送信することができる結果、より強固な認証を行うことが可能である。
【実施例５】
【０１６４】
また、上記した実施例１では、個体識別番号を用いて利用者を認証してコンテンツを提供する場合について説明したが、本発明はこれに限定されるものではなく、個体識別番号と利用者の年齢などを用いて認証するようにしてもよい。
【０１６５】
そこで、実施例５では、図２１〜図２４を用いて、個体識別番号と利用者の年齢を用いて認証し、コンテンツを提供する場合について説明する。図２１は、実施例５に係る通信システムの全体構成を示す図であり、図２２は、実施例５に係るコンテンツサーバ装置のコンテンツＤＢに記憶される情報の構成例を示す図であり、図２３は、実施例５に係る認証サーバ装置の利用者認証情報ＤＢに記憶される情報の構成例を示す図であり、図２４は、実施例５に係る認証サーバ装置のセッション情報ＤＢに記憶される情報の構成例を示す図である。
【０１６６】
図２１に示すように、実施例１と同様、この通信システムは、宅内ネットワークと、認証サーバ装置と、コンテンツサーバ装置とがインターネットを介して相互に通信可能に接続されて構成される。宅内ネットワークは、コンテンツ提供装置と、ネットワーク対応ＴＶと、ＰＣと、ＨＤＤとがＤＬＮＡを用いて相互に通信可能に接続されて構成される。そして、携帯電話は、個体識別番号として「００−１１−ＦＦ」を記憶しており、利用者Ａにより所持されている。
【０１６７】
そして、実施例１と異なる点として、コンテンツサーバ装置は、図２２に示すように、提供するコンテンツを「コンテンツ一覧、許可年齢」として「ＶＯＤ、２５歳以上」「音楽、１８歳以上」「漫画、８歳以上」などとコンテンツＤＢに記憶する。
【０１６８】
また、認証サーバ装置の利用者認証情報ＤＢは、図２３に示すように、「利用者名、個体識別番号、年齢」として「利用者Ａ、００−１１−ＦＦ、５０」や「利用者Ｃ、１２−ＦＦ−００、１７」などと利用者認証情報を記憶する。
【０１６９】
このような構成において、ネットワーク対応ＴＶは、利用者の指示操作により音楽コンテンツの視聴を要求するコンテンツ要求をコンテンツ提供装置に送信する（図２１の（１）参照）。具体的に例を挙げると、ネットワーク対応ＴＶは、利用者の指示操作により音楽コンテンツの視聴を要求するコンテンツ要求をコンテンツ提供装置に送信する。
【０１７０】
続いて、コンテンツ提供装置は、コンテンツサーバ装置にコンテンツの視聴を要求するコンテンツ要求を含むセッション情報要求を送信する（図２１の（２）参照）。そして、コンテンツサーバ装置は、記憶するコンテンツ情報（例えば、音楽、１８歳以上など）とセッション情報要求とを認証サーバ装置に送信する（図２１の（３）参照）。
【０１７１】
続いて、認証サーバ装置は、コンテンツサーバ装置からセッション情報要求とコンテンツ情報を受信した場合に、セッション情報を発行してコンテンツサーバ装置に送信するとともに、セッション情報とコンテンツ情報とを対応付けてセッション情報ＤＢに格納する（図２１の（４）参照）。上記した例で具体的に説明すると、認証サーバ装置は、コンテンツサーバ装置からセッション情報要求とコンテンツ情報を受信した場合に、セッション情報「１２３４５６７８９」を発行してコンテンツサーバ装置に送信するとともに、図２４に示すように、「１２３４５６７８９、音楽  １８歳以上」などをセッション情報ＤＢに格納する。ここでは、個体識別番号は記憶されない。
【０１７２】
そして、セッション情報を受信したコンテンツサーバ装置は、当該セッション情報をネットワーク対応ＴＶで視聴可能なコンテンツとして形成される認証用コンテンツを生成し、コンテンツ提供装置に送信する（図２１の（５）参照）。続いて、コンテンツ提供装置は、受信した認証用コンテンツをネットワーク対応ＴＶに送信する（図２１の（６）参照）。そして、認証用コンテンツを受信したネットワーク対応ＴＶは、受信した認証用コンテンツをモニタに出力し、携帯電話は、ネットワーク対応ＴＶに出力されたセッション情報を含んだ認証要求を利用者認証情報とともに認証サーバ装置に送信する（図２１の（７）と（８）参照）。
【０１７３】
そして、認証サーバ装置は、携帯電話からセッション情報を含んだ認証要求を利用者認証情報とともに受信した場合に、セッション情報とコンテンツ情報とがセッション情報ＤＢに記憶され、かつ、利用者認証情報が利用者認証情報ＤＢに記憶されているときに限り、利用者認証情報を利用者認証情報ＤＢから取得して、セッション情報とコンテンツ情報とに対応付けてセッション情報ＤＢに格納する（図２１の（９）参照）。上記した例で具体的に説明すると、認証サーバ装置は、携帯電話からセッション情報「１２３４５６７８９」を含んだ認証要求を利用者認証情報「００−１１−ＦＦ」とともに受信した場合に、セッション情報「１２３４５６７８９」とコンテンツ情報とがセッション情報ＤＢに記憶され、かつ、利用者認証情報「００−１１−ＦＦ」が利用者認証情報ＤＢに記憶されているときに限り、利用者認証情報「００−１１−ＦＦ」を利用者認証情報ＤＢから取得して、セッション情報とコンテンツ情報とに対応付けてセッション情報ＤＢに格納する。
【０１７４】
その後、コンテンツサーバ装置は、認証サーバ装置に認証結果問い合わせを送信し（図２１の（１０）参照）、認証サーバ装置は、認証結果をコンテンツサーバ装置に送信する（図２１の（１１）参照）。上記した例で具体的に説明すると、認証サーバ装置は、コンテンツサーバ装置から、認証結果問い合わせ要求とともにセッション情報「１２３４５６７８９」を受信した場合に、当該セッション情報「１２３４５６７８９」と利用者認証情報「００−１１−ＦＦ」とが対応付けられてセッション情報ＤＢに記憶され、かつ、利用者認証情報「５０歳」がコンテンツ情報の所定の条件「音楽、１８歳以上」を満たすことより利用者が正当な利用者であると判定し、認証許可をコンテンツサーバ装置に送信する。
【０１７５】
そして、コンテンツサーバ装置は、認証結果に応じてコンテンツをコンテンツ提供装置に送信する（図２１の（１２）参照）。上記した例で説明すると、コンテンツサーバ装置は、認証許可を受信した場合に、コンテンツ「音楽」をコンテンツ提供装置に送信し、認証拒否を受信した場合に、認証が拒否された旨のメッセージをコンテンツ提供装置に送信する。
【０１７６】
そして、コンテンツ提供装置は、コンテンツを受信した場合に、当該コンテンツをネットワーク対応ＴＶに送信し、ネットワーク対応ＴＶは、受信したコンテンツを出力する（図２１の（１３）と（１４）参照）。一方、認証が拒否された旨のメッセージを受信した場合、コンテンツ提供装置は、当該メッセージをネットワーク対応ＴＶに送信する。
【０１７７】
また、例えば、１７歳である利用者Ｃによりネットワーク対応ＴＶからコンテンツ要求（音楽コンテンツ）を受信し、利用者Ｃが所持する携帯電話（例えば、個体識別番号（１２−ＦＦ−００）、年齢（１７歳））から認証要求を受信した場合、上記した手法と同様に、認証処理を行うと、音楽コンテンツの許可年齢が１８歳以上であり、利用者Ｃの年齢が１７歳であることより、認証サーバ装置により認証が拒否されて、コンテンツを視聴することができない。
【０１７８】
このように、実施例５に係る通信システムによれば、コンテンツサーバ装置は、コンテンツ提供装置からセッション情報要求を受信した場合に、ネットワーク対応ＴＶが視聴を希望するコンテンツに関するコンテンツ情報とセッション情報要求とを認証サーバ装置に送信し、コンテンツサーバ装置からセッション情報要求とコンテンツ情報を受信した場合に、セッション情報を発行してコンテンツサーバ装置に送信するとともに、セッション情報とコンテンツ情報とを対応付けてセッション情報ＤＢに格納し、利用者端末からセッション情報を含んだ認証要求を利用者認証情報とともに受信した場合に、セッション情報とコンテンツ情報とがセッション情報ＤＢに記憶され、かつ、利用者認証情報が利用者認証情報ＤＢに記憶されているときに限り、利用者認証情報を利用者認証情報ＤＢから取得して、セッション情報とコンテンツ情報とに対応付けてセッション情報ＤＢに格納し、コンテンツサーバ装置から、認証結果問い合わせ要求とともにセッション情報を受信した場合に、当該セッション情報と利用者認証情報とが対応付けられてセッション情報ＤＢに記憶され、かつ、利用者認証情報ＤＢに記憶される利用者認証情報がコンテンツ情報の所定の条件を満たすか否かを判定し、利用者が正当な利用者であるか否かを認証するので、例えば、利用者認証情報として年齢情報を記憶する場合、年齢に応じてコンテンツの視聴可否を判定できる結果、より細かな認証を行うことが可能である。
【０１７９】
例をあげると、２０歳未満の利用者からのセッション情報要求を拒否したり、受信した利用者の年齢に応じて提供するコンテンツを変更したり、受信した利用者の年齢で許可できるコンテンツのみを提供するなど、より細かな認証を行うことが可能である。また、年齢だけでなく、性別や職業などにより認証してもよい。
【実施例６】
【０１８０】
さて、これまで本発明の実施例について説明したが、本発明は上述した実施例以外にも、種々の異なる形態にて実施されてよいものである。そこで、以下に示すように、（１）認証用コンテンツ、（２）認証処理、課金、（３）携帯電話、（４）システム構成等、（５）プログラムにそれぞれ区分けして異なる実施例を説明する。
【０１８１】
（１）認証用コンテンツ
例えば、実施例１では、認証用コンテンツとしてＱＲコードを生成した場合について説明したが、本発明はこれに限定されるものではなく、動画像や音声コンテンツとして生成してもよい。
【０１８２】
具体的には、コンテンツ提供装置またはコンテンツサーバ装置は、認証サーバ装置で発行されたセッション情報を受信した場合に、コンテンツ視聴装置が動画像コンテンツを視聴可能であると、当該セッション情報をコンテンツ視聴装置で動画像視聴可能な動画像コンテンツとして形成される認証用動画像コンテンツを生成してコンテンツ視聴装置に送信したり、コンテンツ視聴装置が音声コンテンツを視聴可能であると、当該セッション情報をコンテンツ視聴装置で音声視聴可能な音声コンテンツとして形成される認証用音声コンテンツを生成してコンテンツ視聴装置に送信したり、コンテンツ視聴装置が静止画コンテンツを視聴可能に出力するものであるときは、当該セッション情報を静止画コンテンツとして形成される認証用静止画コンテンツを生成してコンテンツ視聴装置に送信してもよい。なお、認証用音声コンテンツを受信した利用者端末（例えば、携帯電話）は、当該認証用音声コンテンツからセッション情報を読み出して、セッション情報を音声により出力する。
【０１８３】
このようにすることで、情報家電でコンテンツを利用するのに際して、さらに利便性の高い利用者認証を行うことが可能である。例えば、認証用コンテンツを動画や静止画だけでなく、音声出力することができる結果、モニタなどがない端末装置に対しても利用者認証を行うことが可能である。
【０１８４】
（２）認証処理、課金
また、実施例１〜５では、認証サーバ装置は、個体識別番号を用いて認証処理を行う場合について説明したが、本発明はこれに限定されるものではなく、電子署名や証明書などを用いて認証処理を行うようにしてもよく、利用者を特定することができる利用者認証情報であればいずれの情報でもよい。なお、電子署名や証明書のほかにも携帯電話の発信者番号などを用いて認証してもよい。また、認証処理を行う際に、課金処理を実行するようにしてもよい。
【０１８５】
また、実施例５では、認証処理でコンテンツの視聴制限として年齢を用いた場合について説明したが、本発明はこれに限定されるものではなく、性別や職業などコンテンツの視聴を制限することができるあらゆる情報を用いて、認証を行うことができる。
【０１８６】
（３）携帯電話
また、実施例１〜５では、利用者端末として携帯電話を用いた場合について説明したが、本発明はこれに限定されるものではなく、パーソナルコンピュータやワークステーション、家庭用ゲーム機、ネットワーク対応ＴＶ、ＰＤＡ、あるいはＰＨＳの如き移動体通信端末など個体識別番号を記憶することができ、インターネットに接続することができる通信装置であればいずれの装置であってもよい。
【０１８７】
（４）システム構成等
また、本実施例において説明した上記文書中や図面中で示した処理手順、制御手順、具体的名称、各種のデータやパラメータを含む情報（例えば、図３〜図５など）については、特記する場合を除いて任意に変更することができる。
【０１８８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して（例えば、セッション情報一時発行部２６とセッション情報正規発行部２７とを統合するなど）構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１８９】
（５）プログラム
また、上記の実施例で説明した各種の処理手順は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【産業上の利用可能性】
【０１９０】
以上のように、本発明に係る通信システムおよび通信方法は、宅内ネットワークの利用者が正当な利用者であるか否かを認証し、利用者が正当な利用者として認証されることを条件にコンテンツ提供装置を介してコンテンツ視聴装置にコンテンツを提供することに有用であり、特に、情報家電でコンテンツを利用するのに際して、利便性の高い利用者認証を行うことに適する。
【図面の簡単な説明】
【０１９１】
【図１】実施例１に係る通信システムの全体構成を示すシステム構成図である。
【図２】実施例１に係る通信システムの構成を示すブロック図である。
【図３】利用者認証情報ＤＢに記憶される情報の例を示す図である。
【図４】セッション情報ＤＢに記憶される情報の例を示す図である。
【図５】コンテンツＤＢに記憶される情報の例を示す図である。
【図６】ネットワーク対応ＴＶに出力されるコンテンツ一覧の出力例を示した図である。
【図７】認証用コンテンツとして生成されたＱＲコードの例を示す図である。
【図８】実施例１に係る通信システムによる処理の流れを示すシーケンス図である。
【図９】実施例１に係るコンテンツ提供装置による処理の流れを示すフローチャートである。
【図１０】実施例１に係る認証サーバ装置による処理の流れを示すフローチャートである。
【図１１】実施例１に係るネットワーク対応ＴＶによる処理の流れを示すフローチャートである。
【図１２】通信システムによる処理の流れを示すシーケンス図である。
【図１３】実施例２に係る通信システムの処理の流れを示すシーケンス図である。
【図１４】実施例２に係るコンテンツサーバ装置による処理の流れを示すフローチャートである。
【図１５】実施例３に係る認証サーバ装置に記憶される情報の例を示す図である。
【図１６】実施例３に係る通信システムの処理の流れを示すシーケンス図である。
【図１７】実施例３に係るコンテンツ提供装置の処理の流れを示すフローチャートである。
【図１８】実施例４に係る通信システムの全体構成を示す図である。
【図１９】実施例４に係る通信システムの全体構成を示す図である。
【図２０】セッション情報ＤＢに記憶される情報の例を示す図である。
【図２１】実施例５に係る通信システムの全体構成を示す図である。
【図２２】実施例５に係るコンテンツサーバ装置のコンテンツＤＢに記憶される情報の構成例を示す図である。
【図２３】実施例５に係る認証サーバ装置の利用者認証情報ＤＢに記憶される情報の構成例を示す図である。
【図２４】実施例５に係る認証サーバ装置のセッション情報ＤＢに記憶される情報の構成例を示す図である。
【符号の説明】
【０１９２】
１０  コンテンツ提供装置
１１  内部ネットワーク通信部
１２  外部ネットワーク通信部
１３  記憶部
１４  制御部
１５  セッション情報要求送信部
１６  認証用コンテンツ生成部
１７  認証結果問い合わせ部
１８  コンテンツ送信部
２０  認証サーバ装置
２１  通信制御Ｉ／Ｆ部
２２  記憶部
２３  利用者認証情報ＤＢ
２４  セッション情報ＤＢ
２５  制御部
２６  セッション情報一時発行部
２７  セッション情報正規発行部
２８  利用者認証部
３０  コンテンツサーバ装置
３１  通信制御Ｉ／Ｆ部
３２  記憶部
３３  コンテンツＤＢ
３４  制御部
３５  コンテンツ送信部
【図１】
2008124579.tif 000003
【図２】
2008124579.tif 000004
【図３】
2008124579.tif 000005
【図４】
2008124579.tif 000006
【図５】
2008124579.tif 000007
【図６】
2008124579.tif 000008
【図７】
2008124579.tif 000009
【図８】
2008124579.tif 000010
【図９】
2008124579.tif 000011
【図１０】
2008124579.tif 000012
【図１１】
2008124579.tif 000013
【図１２】
2008124579.tif 000014
【図１３】
2008124579.tif 000015
【図１４】
2008124579.tif 000016
【図１５】
2008124579.tif 000017
【図１６】
2008124579.tif 000018
【図１７】
2008124579.tif 000019
【図１８】
2008124579.tif 000020
【図１９】
2008124579.tif 000021
【図２０】
2008124579.tif 000022
【図２１】
2008124579.tif 000023
【図２２】
2008124579.tif 000024
【図２３】
2008124579.tif 000025
【図２４】
2008124579.tif 000026